(57)【特許請求の範囲】
【請求項１】
不織布又は織布から形成された、液透過性のトップシートと、液不透過性のバックシートと、前記トップシート及びバックシートの間の吸収体とを有する吸収性物品であって、
前記吸収性物品が、その厚さ方向に前記吸収体と重複する範囲において、着用者の排泄口に接する排泄口当接域と、当該排泄口当接域を囲むように連続的又は非連続的に配置されている第１エンボス部と、第１エンボス部より外側の外縁領域と、前記排泄口当接域の長手方向外側に位置する外縁領域に配置されている第２エンボス部とを有し、
第１エンボス部及び第２エンボス部が、前記トップシート及び吸収体を含む層をエンボスすることにより形成され、そして
前記排泄口当接域内のトップシートと、第２エンボス部とが、それぞれ、４０℃における０．０１〜８０ｍｍ2／ｓの動粘度と、０．０１〜４．０質量％の抱水率と、１，０００未満の重量平均分子量とを有する血液滑性付与剤を含む、
ことを特徴とする、前記吸収性物品。
【請求項２】
前記血液滑性付与剤が、０．００〜０．６０のＩＯＢをさらに有する、請求項１に記載の吸収性物品。
【請求項３】
第２エンボス部が、前記排泄口当接域の長手方向端部を囲むように湾曲して配置されている、請求項１又は２に記載の吸収性物品。
【請求項４】
前記トップシートが、前記排泄口当接域と、第２エンボス部との間に、前記血液滑性付与剤を含まない領域を有する、請求項１〜３のいずれか一項に記載の吸収性物品。
【請求項５】
第１エンボス部が、前記血液滑性付与剤をさらに含む、請求項１〜４のいずれか一項に記載の吸収性物品。
【請求項６】
第１エンボス部が、前記排泄口当接域を囲むように非連続的に配置されており、第１エンボス部の外側に、第３エンボス部がさらに配置されている、請求項１〜５のいずれか一項に記載の吸収性物品。
【請求項７】
第３エンボス部が、第１エンボス部の非連続部分の外側に配置されている、請求項６に記載の吸収性物品。
【請求項８】
第３エンボス部が、前記血液滑性付与剤を含む、請求項６又は７に記載の吸収性物品。
【請求項９】
前記吸収性物品が、前記トップシートと吸収体との間にセカンドシートをさらに有し、第１エンボス部が、前記トップシート、セカンドシート及び吸収体を含む層をエンボスすることにより形成された、請求項１〜８のいずれか一項に記載の吸収性物品。
【請求項１０】
第２エンボス部が、前記トップシート、セカンドシート及び吸収体を含む層をエンボスすることにより形成された、請求項９に記載の吸収性物品。
【請求項１１】
前記血液滑性付与剤が、次の（ｉ）〜（ｉｉｉ）、
（ｉ）炭化水素、
（ｉｉ）  （ｉｉ−１）炭化水素部分と、（ｉｉ−２）前記炭化水素部分のＣ−Ｃ単結合間に挿入された、カルボニル基（−ＣＯ−）及びオキシ基（−Ｏ−）から成る群から選択される、一又は複数の、同一又は異なる基とを有する化合物、及び
（ｉｉｉ）  （ｉｉｉ−１）炭化水素部分と、（ｉｉｉ−２）前記炭化水素部分のＣ−Ｃ単結合間に挿入された、カルボニル基（−ＣＯ−）及びオキシ基（−Ｏ−）から成る群から選択される、一又は複数の、同一又は異なる基と、（ｉｉｉ−３）前記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択され、
ここで、（ｉｉ）又は（ｉｉｉ）の化合物において、オキシ基が２つ以上挿入されている場合には、各オキシ基は隣接していない、
請求項１〜１０のいずれか一項に記載の吸収性物品。
【請求項１２】
前記血液滑性付与剤が、次の（ｉ’）〜（ｉｉｉ’）、
（ｉ’）炭化水素、
（ｉｉ’）  （ｉｉ’−１）炭化水素部分と、（ｉｉ’−２）前記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合とを有する化合物、及び
（ｉｉｉ’）  （ｉｉｉ’−１）炭化水素部分と、（ｉｉｉ’−２）前記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、（ｉｉｉ’−３）前記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択され、
ここで、（ｉｉ’）又は（ｉｉｉ’）の化合物において、２以上の同一又は異なる結合が挿入されている場合には、各結合は隣接していない、
請求項１〜１１のいずれか一項に記載の吸収性物品。
【請求項１３】
前記血液滑性付与剤が、次の（Ａ）〜（Ｆ）、
（Ａ）  （Ａ１）鎖状炭化水素部分と、前記鎖状炭化水素部分の水素原子を置換する２〜４個のヒドロキシル基とを有する化合物と、（Ａ２）鎖状炭化水素部分と、前記鎖状炭化水素部分の水素原子を置換する１個のカルボキシル基とを有する化合物とのエステル、
（Ｂ）  （Ｂ１）鎖状炭化水素部分と、前記鎖状炭化水素部分の水素原子を置換する２〜４個のヒドロキシル基とを有する化合物と、（Ｂ２）鎖状炭化水素部分と、前記鎖状炭化水素部分の水素原子を置換する１個のヒドロキシル基とを有する化合物とのエーテル、
（Ｃ）  （Ｃ１）鎖状炭化水素部分と、前記鎖状炭化水素部分の水素原子を置換する、２〜４個のカルボキシル基とを含むカルボン酸、ヒドロキシ酸、アルコキシ酸又はオキソ酸と、（Ｃ２）鎖状炭化水素部分と、前記鎖状炭化水素部分の水素原子を置換する１個のヒドロキシル基とを有する化合物とのエステル、
（Ｄ）鎖状炭化水素部分と、前記鎖状炭化水素部分のＣ−Ｃ単結合間に挿入された、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つの結合とを有する化合物、
（Ｅ）ポリオキシＣ3〜Ｃ6アルキレングリコール、又はそのアルキルエステル若しくはアルキルエーテル、及び
（Ｆ）鎖状炭化水素、
並びにそれらの任意の組み合わせから成る群から選択される、請求項１〜１２のいずれか一項に記載の吸収性物品。
【請求項１４】
前記血液滑性付与剤が、（ａ1）鎖状炭化水素テトラオールと少なくとも１の脂肪酸とのエステル、（ａ2）鎖状炭化水素トリオールと少なくとも１の脂肪酸とのエステル、（ａ3）鎖状炭化水素ジオールと少なくとも１の脂肪酸とのエステル、（ｂ1）鎖状炭化水素テトラオールと少なくとも１の脂肪族１価アルコールとのエーテル、（ｂ2）鎖状炭化水素トリオールと少なくとも１の脂肪族１価アルコールとのエーテル、（ｂ3）鎖状炭化水素ジオールと少なくとも１の脂肪族１価アルコールとのエーテル、（ｃ1）４個のカルボキシル基を有する鎖状炭化水素テトラカルボン酸、ヒドロキシ酸、アルコキシ酸又はオキソ酸と、少なくとも１の脂肪族１価アルコールとのエステル、（ｃ2）３個のカルボキシル基を有する鎖状炭化水素トリカルボン酸、ヒドロキシ酸、アルコキシ酸又はオキソ酸と、少なくとも１の脂肪族１価アルコールとのエステル、（ｃ3）２個のカルボキシル基を有する鎖状炭化水素ジカルボン酸、ヒドロキシ酸、アルコキシ酸又はオキソ酸と、少なくとも１の脂肪族１価アルコールとのエステル、（ｄ1）脂肪族１価アルコールと脂肪族１価アルコールとのエーテル、（ｄ2）ジアルキルケトン、（ｄ3）脂肪酸と脂肪族１価アルコールとのエステル、（ｄ4）ジアルキルカーボネート、（ｅ1）ポリオキシＣ3〜Ｃ6アルキレングリコール、（ｅ2）ポリオキシＣ3〜Ｃ6アルキレングリコールと少なくとも１の脂肪酸とのエステル、（ｅ3）ポリオキシＣ3〜Ｃ6アルキレングリコールと少なくとも１の脂肪族１価アルコールとのエーテル、及び（ｆ1）鎖状アルカン、並びにそれらの任意の組み合わせから成る群から選択される、請求項１〜１３のいずれか一項に記載の吸収性物品。
【請求項１５】
前記血液滑性付与剤が、１気圧及び４０℃において、０．００〜０．０１Ｐａの蒸気圧を有する、請求項１〜１４のいずれか一項に記載の吸収性物品。
【発明の詳細な説明】
【技術分野】
【０００１】
本開示は、吸収性物品に関する。
【背景技術】
【０００２】
吸収性物品、例えば、生理用ナプキン、パンティーライナー等では、長年積み重ねられてきた技術開発により基本的性能が向上し、以前と比較して、経血等の排泄物を吸収した後に、漏れ等が生ずることが少なくなってきており、現在は、さらなる高機能化、例えば、肌着に近い着用感を有すること、経血等の排泄物を吸収した後でもトップシートがサラサラしていること等に関する研究が行われている。
【０００３】
特に、月経時の経血は、子宮内膜等の成分が含まれることもあって、その粘度が高いが、当該粘度の高い経血を吸収した後であっても、トップシートにべたつき感がなく、サラサラしていること等が好ましい。また、粘度の高い経血は、トップシート上で、塊の状態で残存することが多く、使用者が、視覚的に不快感を覚えることが多く、その観点からも、粘度の高い経血を、トップシート上に残存させないことが好ましい。
【０００４】
例えば、特許文献１には、ポリプロピレングリコール材料を含むローション組成物を、トップシートの内表面（着衣側の面）、バックシートの内表面（身体側の面）、トップシートの内表面及びバックシートの内表面の間の基材等に配置した吸収性物品が開示されている。
また、特許文献２には、ポリプロピレングリコール材料を含むローション組成物を、トップシートの外表面（身体側の面）に適用した吸収性物品が開示されている。
【先行技術文献】
【特許文献】
【０００５】
【特許文献１】特表２０１０−５１８９１８号
【特許文献２】特表２０１１−５１０８０１号
【発明の概要】
【発明が解決しようとする課題】
【０００６】
吸収性物品では、経血を吸収した後、トップシートが経血で赤く染まった度合いと、吸収体が吸収した経血の量とに相関が少ない場合がある。特に、トップシートが経血で赤く染まりにくい吸収性物品では、着用者が、吸収体が吸収容量の上限付近まで経血を吸収し、交換時期に近づいていることに気づかない場合がある。
特許文献１及び２に記載の吸収性物品では、吸収性物品の交換時期を視覚的に認識させるような設計はなされていない。また、交換時期を過ぎて使用してしまった場合に、漏れのリスクを低減させる設計がなされていない。
従って、本開示は、粘度の高い経血を吸収した後であってもトップシートにべたつき感がなく、トップシートがサラサラしており、そして交換時期を視覚的に認識させることができ且つ漏れのリスクも低減させる吸収性物品を提供することを目的とする。
【課題を解決するための手段】
【０００７】
本開示者らは、上記課題を解決するために鋭意検討した結果、不織布又は織布から形成された、液透過性のトップシートと、液不透過性のバックシートと、上記トップシート及びバックシートの間の吸収体とを有する吸収性物品であって、上記吸収性物品が、その厚さ方向に上記吸収体と重複する範囲において、着用者の排泄口に接する排泄口当接域と、当該排泄口当接域を囲むように連続的又は非連続的に配置されている第１エンボス部と、第１エンボス部より外側の外縁領域と、上記排泄口当接域の長手方向外側に位置する外縁領域に配置されている第２エンボス部とを有し、第１エンボス部及び第２エンボス部が、上記トップシート及び吸収体を含む層をエンボスすることにより形成され、そして上記排泄口当接域内のトップシートと、第２エンボス部とが、それぞれ、４０℃における０．０１〜８０ｍｍ2／ｓの動粘度と、０．０１〜４．０質量％の抱水率と、１，０００未満の重量平均分子量とを有する血液滑性付与剤を含むことを特徴とする吸収性物品を見出した。
【発明の効果】
【０００８】
本開示の吸収性物品は、粘度の高い経血を吸収した後であってもトップシートにべたつき感がなく、トップシートがサラサラしており、そして交換時期を視覚的に認識させることができ且つ漏れのリスクも低減させる。
【図面の簡単な説明】
【０００９】
【図１】図１は、本開示の吸収性物品の実施形態の１つに従う生理用ナプキンの正面図である。
【図２】図２は、本開示の吸収性物品の他の実施形態に従う生理用ナプキンの正面図である。
【図３】図３は、トップシートがトリＣ２Ｌ油脂肪酸グリセリドを含む生理用ナプキンにおける、トップシートの肌当接面の電子顕微鏡写真である。
【図４】図４は、血液滑性付与剤を含む又は含まない経血の顕微鏡写真である。
【図５】図５は、表面張力の測定方法を説明するための図である。
【発明を実施するための形態】
【００１０】
本開示の吸収性物品について、以下、詳細に説明する。
図１は、本開示の吸収性物品の実施形態の１つに従う生理用ナプキンの正面図である。図１は、トップシート２の肌当接面側から観察した図である。図１に示される生理用ナプキン１は、液透過性のトップシート２と、液不透過性のバックシート（図示せず）と、トップシート２及びバックシートの間の吸収体３とを有する。図１に示される生理用ナプキン１において、トップシート２は、不織布から形成されている。
【００１１】
図１に示される生理用ナプキン１は、生理用ナプキン１の厚さ方向に吸収体３と重複する範囲において、着用者の排泄口に接する排泄口当接域４と、排泄口当接域４を囲むように非連続的に配置されている第１エンボス部５と、第１エンボス部５より外側の外縁領域６と、排泄口当接域４の長手方向外側に位置する外縁領域６に配置されている第２エンボス部７とを有する。第１エンボス部５は、４つの第１エンボス部５’，５'’，５''’及び５'''’から成り、そして、それぞれが独立して、排泄口当接域４を囲むように配置されている。
【００１２】
なお、本明細書では、「排泄口当接域」は、着用者の排泄口（小陰唇等）に当接する領域であり、連続的又は非連続的に配置されているエンボス部（第１エンボス部）により画定される領域を意味する。上記排泄口当接域は、吸収性物品のサイズ等によってもその位置が異なるが、例えば、ウィング部を有しない吸収性物品の場合には、吸収性物品の幅方向中心部且つ長手方向中心部を囲むように連続的又は非連続的に配置されているエンボス部（第１エンボス部）により画定される領域の内側が排泄口当接域である。例えば、ウィング部を有する吸収性物品の場合には、吸収性物品の幅方向の中心を通る長手方向線と、両ウィング部の長手方向中心を通る幅方向線との交点とを囲むように連続的又は非連続的に配置されているエンボス部（第１エンボス部）により画定される領域の内側が排泄口当接域である。
【００１３】
図１に示される生理用ナプキン１において、第１エンボス部５と、第２エンボス部７とは、トップシート２及び吸収体３から成る層を圧搾することにより形成されている。
また、図１に示される生理用ナプキン１において、排泄口当接域４内のトップシート２と、第２エンボス部７とが、それぞれ、所定の血液滑性付与剤（図示せず）を含む。
【００１４】
本開示の吸収性物品の作用を、図１を利用して説明する。
粘度の高い経血は、最初に、生理用ナプキン１の排泄口当接域４に到達する。排泄口当接域４内のトップシート２は、血液滑性付与剤を含むため、経血は、血液滑性付与剤と一緒になって、生理用ナプキン１の内部に移行し、吸収体３に迅速に移行する。
従って、生理用ナプキン１は、吸収した経血を吸収体３に迅速に移行させることができる。
【００１５】
また、経血は、血液滑性付与剤と一緒になって、生理用ナプキン１の内部に移行するため、トップシート２の排泄口当接域４は、経血で赤く染まりにくい。その結果、着用者は、トイレ等に行った際に、着色による不快感を覚えにくい一方で、トップシートの状態から、生理用ナプキンの交換時期が把握しにくい場合がある。
【００１６】
吸収体３に吸収された経血の量が多くなると、吸収体３の中で、経血は、吸収性物品の長手方向及び幅方向に移動する。吸収性物品の長手方向に移動する経血が、排泄口当接域４の長手方向外側に位置する外縁領域６に配置されている、第２エンボス部７に到達すると、第２エンボス部７が血液滑性付与剤を含むために、経血を跳ね返し、排泄口当接域４の方向に押し戻す。従って、経血が漏れにくくなる。
【００１７】
また、第２エンボス部７に到達した一部の経血は、第２エンボス部７の繊維密度が高いため、毛細管現象により、その中に引き込まれる。第２エンボス部７に経血が引き込まれると、着用者は、トップシート２の側から、第２エンボス部７が赤く染まったことを視覚的に認識することができる。それにより、着用者は、生理用ナプキン１の交換時期を把握することができる。
【００１８】
図１に示される生理用ナプキン１では、排泄口当接域４内のトップシート２は、その平面方向全体において血液滑性付与剤を含むが、本開示の吸収性物品の別の実施形態では、排泄口当接域内のトップシートの平面方向の一部が、血液滑性付与剤を含む。
【００１９】
図１に示される生理用ナプキン１において、第２エンボス部７は、排泄口当接域４の長手方向端部を囲むように湾曲して配置されている。第２エンボス部を排泄口当接域の長手方向端部を囲むように湾曲して配置することにより、排泄口当接域の長手方向端部から、吸収性物品の長手方向に拡散する経血を効率的に跳ね返し、排泄口当接域の方向に押し戻し、経血を漏れにくくすることができる。例えば、第２エンボス部は、略Ｕ字型、略Ｖ字型、略Ｙ字型、略円弧型、略楕円弧型等の形状を有することができる。
【００２０】
図１に示される生理用ナプキン１において、トップシート２が、排泄口当接域４と、第２エンボス部７との間に、血液滑性付与剤を含まない領域である、非薬剤含有領域９を有する。排泄口当接域と、第２エンボス部との間に、非薬剤含有領域を有することにより、例えば、吸収体が着用時の蒸れを防止するためにの高吸収性ポリマーを含む場合に、高吸収性ポリマーが湿分を吸収することを阻害しにくくなる。
【００２１】
図１に示される生理用ナプキン１において、第１エンボス部５が、血液滑性付与剤をさらに含む。第１エンボス部が血液滑性付与剤を含むことにより、以下の作用が得られる。
一般的に、着用者が、就寝時の横になった状態等では、経血が、トップシートの排泄口当接域に到達した後、肌当接面に沿って、排泄口当接域の外に流れることがあることが知られている。しかし、図１に示される生理用ナプキン１では、排泄口当接域４を囲む第１エンボス部５が血液滑性付与剤を含むため、第１エンボス部５に存在する血液滑性付与剤が、排泄口当接域４の外に流れようとする経血を跳ね返し、経血を排泄口当接域４内に押し戻す。押し戻された経血は、排泄口当接域４の血液滑性付与剤と一緒になって、生理用ナプキン１の内部に移行し、吸収体３に移行する。
本開示の吸収性物品の別の実施形態では、第１エンボス部が、血液改質剤を含まない。
【００２２】
図１に示されるように、吸収性物品では、吸収性物品が硬くならないこと等を目的として、排泄口当接域を囲む第１エンボス部を非連続的に配置する場合がある。
図１に示される生理用ナプキン１はまた、第１エンボス部５の非連続部分１０の外側に、４つの第３エンボス部８'，８''，８'''及び８''''（以下、「第３エンボス部８」と称する場合がある）をさらに有する。第３エンボス部８'，８''，８'''及び８''''は、第１エンボス部５の非連続部分１０の外側に配置されている。
なお、第３エンボス部８は、外縁領域６に形成されている。
【００２３】
図１に示される生理用ナプキン１において、第３エンボス部８が、血液滑性付与剤をさらに含む。従って、非連続部分１０を通って、トップシート２の肌当接面を拡散しようとする経血を、第３エンボス部８がブロックし、排泄口当接域４に跳ね返すことができる。
本開示の吸収性物品の別の実施形態では、第３エンボス部は、血液改質剤を含まない。
【００２４】
図１に示される生理用ナプキン１において、第２エンボス部７は、排泄口当接域４の長手方向外側に位置する外縁領域６に計２つ配置されているが、本開示の吸収性物品の別の実施形態では、第２エンボス部は、排泄口当接域の長手方向外側に位置する外縁領域に１つ配置されており、例えば、より漏れやすい着用者の後方に配置することができる。
【００２５】
図２は、本開示の吸収性物品の他の実施形態に従う生理用ナプキンの正面図である。図２に示される生理用ナプキン１は、第１エンボス部５が、排泄口当接域４を囲むように、連続的に配置されている点と、第３エンボス部を有しない点とが、図１に示される生理用ナプキン１と異なるが、それ以外は、図１に示される生理用ナプキン１と同一である。
【００２６】
図２に示されるように、第１エンボス部５が排泄口当接域４を囲むように連続的に配置されていることにより、トップシート２の肌当接面に沿って、又はトップシート２の内部を伝わって排泄口当接域４の外に拡散しようとする経血を、第１エンボス部５がブロックし、排泄口当接域４内のトップシート２の中に跳ね返すか、又は吸収体３に移行させることができる。当該作用は、第１エンボス部５が、血液滑性付与剤を含む場合により高くなる。
【００２７】
なお、図２に示されるように、第１エンボス部が排泄口当接域を囲むように連続的に配置されている場合には、第１エンボス部の血液滑性付与剤の平均坪量が、排泄口当接域内のトップシートの血液滑性付与剤の坪量よりも小さいこと、例えば、（Ｉ）第１エンボス部が含む血液滑性付与剤の坪量が均一に小さいことにより第１エンボス部が含む血液滑性付与剤の平均坪量が小さいこと、（II）第１エンボス部が非連続的に血液滑性付与剤を含むことにより第１エンボス部が含む血液滑性付与剤の平均坪量が小さいこと、（III）第１エンボス部が肌当接面側に血液滑性付与剤を含むことにより第１エンボス部が含む血液滑性付与剤の平均坪量が小さいこと等が挙げられる。
第１エンボス部が含む血液滑性付与剤の平均坪量が大きいと、排泄口当接域に到達した経血が、吸収体内部で、排泄口当接域の外に出にくくなり、結果的に吸収体の吸収容量が小さくなる場合があるからである。
【００２８】
図１及び図２に示される生理用ナプキン１は、液透過性のトップシート２と、液不透過性のバックシートと、トップシート２及びバックシートの間の吸収体３とを有するが、本開示の吸収性物品の別のいくつかの実施形態では、吸収性物品が、トップシートと吸収体との間にセカンドシートをさらに有する。
【００２９】
上記実施形態の１つでは、第１エンボス部が、トップシート、セカンドシート及び吸収体を含む層をエンボスすることにより形成される。
上記実施形態の１つでは、第２エンボス部が、トップシート、セカンドシート及び吸収体を含む層をエンボスすることにより形成される。
上記実施形態の１つでは、吸収性物品が第３エンボス部を含み、そして第３エンボス部が、トップシート、セカンドシート及び吸収体を含む層をエンボスすることにより形成される。
【００３０】
本開示の吸収性物品において、排泄口当接域内のトップシートと、第２エンボス部とが、それぞれ、上記血液滑性付与剤を、好ましくは約１〜約３０ｇ／ｍ2、より好ましくは約２〜約２０ｇ／ｍ2、そしてさらに好ましくは約３〜約１０ｇ／ｍ2の坪量の範囲で含む。上記坪量が、約１ｇ／ｍ2を下回ると、吸収した経血がトップシートに残存する、第２エンボス部が経血を跳ね返し、排泄口当接域の方向に押し戻す力が弱くなり、漏れやすくなる傾向があり、そして血液滑性付与剤の坪量が約３０ｇ／ｍ2を超えると、着用中のべたべた感が増加する傾向がある。
【００３１】
第１エンボス部及び所望による第３エンボス部は、所望により、上記血液滑性付与剤を、好ましくは約１〜約３０ｇ／ｍ2、より好ましくは約２〜約２０ｇ／ｍ2、そしてさらに好ましくは約３〜約１０ｇ／ｍ2の範囲で含む。血液滑性付与剤の坪量が、約１ｇ／ｍ2を下回ると、第１エンボス部及び所望による第３エンボス部に到達した経血を、排泄口当接域に跳ね返しにくくなる場合がある。血液滑性付与剤の坪量が約３０ｇ／ｍ2を超えると、着用中のべたべた感が増加する傾向がある。
【００３２】
本明細書において、「排泄口当接域」のサイズは、吸収性物品そのもののサイズ等によって異なるが、例えば、約５０〜約１８０ｍｍ、約８０〜約１２０ｍｍ等の吸収性物品の長手方向の長さと、例えば、約１０〜約６０ｍｍ、約２０〜約４０ｍｍ等の吸収性物品の幅方向の長さとが挙げられるであろう。
【００３３】
血液滑性付与剤は、４０℃において約０．０１〜約８０ｍｍ2／ｓの動粘度を有するため、着用者の体温付近で非常に低粘度であり、そして約０．０１〜約４．０質量％の抱水率を有するため、経血と一定の親和性を有し、経血と一緒に、吸収体内部に移行することができる。
【００３４】
また、血液滑性付与剤が、炭化水素部分からなる疎水性部分と、親水性を有する基（カルボニル基，オキシ基，カルボキシル基，ヒドロキシル基等の極性基）、親水性を有する結合（カルボニル結合，エステル結合，カーボネート結合，エーテル結合等の極性を有する結合）等から成る親水性部分とを有する場合には、血液滑性付与剤が、経血を滑落させる作用をまた有する。
血液滑性付与剤の疎水性部分が、経血中の親水性成分（血漿等）を弾きつつ、血液滑性付与剤の親水性部分が、経血中の親水性成分（血漿等）を引き寄せるため、経血が容易に吸収体内部へと滑落する。
【００３５】
さらに、血液滑性付与剤は、約０．０１〜約４．０質量％の抱水率を有し、経血中の、主に親水性成分（血漿等）との親和性が過度に高くないため、経血の一部をトップシート上に残存させにくい。
【００３６】
さらに、血液滑性付与剤は、約０．０１〜約４．０質量％の抱水率を有し、そして所望により約０．００〜約０．６０のＩＯＢを有するため、親油性度が高く、第１エンボス部及び所望による第３エンボス部が血液滑性付与剤を含む場合には、そこに到達した経血を、排泄口当接域に跳ね返すことができる。
【００３７】
［血液滑性付与剤］
本開示の吸収性物品では、血液滑性付与剤は、４０℃における約０．０１〜約８０ｍｍ2／ｓの動粘度と、約０．０５〜約４．０質量％の抱水率と、約１，０００未満の重量平均分子量とを有する。
【００３８】
上記血液滑性付与剤は、４０℃において、約０〜約８０ｍｍ2／ｓの動粘度を有し、約１〜約７０ｍｍ2／ｓの動粘度を有することが好ましく、約３〜約６０ｍｍ2／ｓの動粘度を有することがより好ましく、約５〜約５０ｍｍ2／ｓの動粘度を有することがさらに好ましく、そして約７〜約４５ｍｍ2／ｓの動粘度を有することがさらに好ましい。
【００３９】
上記動粘度は、ａ）血液滑性付与剤の分子量が大きくなるほど、ｂ）極性基、例えば、カルボニル基（−ＣＯ−）、オキシ基（−Ｏ−）、カルボキシル基（−ＣＯＯＨ）、ヒドロキシル基（−ＯＨ）等、極性を有する結合、例えば、カルボニル結合（−ＣＯ−）、エステル結合（−ＣＯＯ−）、カーボネート結合（−ＯＣＯＯ−）、エーテル結合（−Ｏ−）等の比率が高いほど、そしてｃ）後述のＩＯＢが大きくなるほど、高くなる傾向がある。
【００４０】
また、４０℃において、約０〜約８０ｍｍ2／ｓの動粘度を有するためには、血液滑性付与剤の融点が４５℃以下であることが好ましい。血液滑性付与剤が４０℃で結晶を含むと、その動粘度が高くなる傾向があるからである。
なお、本明細書では、４０℃における動粘度を、単に「動粘度」と称する場合がある。
【００４１】
上記動粘度が約８０ｍｍ2／ｓを超えると、血液滑性付与剤の粘性が高く、トップシートの肌当接面に到達した経血と一緒に、吸収体内部に移行することが難しくなる傾向がある。
上記動粘度は、ＪＩＳ  Ｋ  ２２８３：２０００の「５．動粘度試験方法」に従って、キャノンフェンスケ逆流形粘度計を用いて、４０℃の試験温度で測定することができる。
【００４２】
上記血液滑性付与剤は、約０．０１〜約４．０質量％の抱水率を有し、約０．０２〜約３．５質量％の抱水率を有することが好ましく、約０．０３〜約３．０質量％の抱水率を有することがより好ましく、約０．０４〜約２．５質量％の抱水率を有することがさらに好ましく、そして約０．０５〜約２．０質量％の抱水率を有することがさらに好ましい。
【００４３】
本明細書において、「抱水率」は、物質が保持することができる水の比率を意味し、以下の通りに測定されうる。
（１）４０℃の恒温室に、試験管、ゴム栓、測定すべき物質及び脱イオン水を一昼夜静置する。
（２）上記恒温室で、２０ｍＬの試験管に、測定すべき物質５．０ｇと、脱イオン水５．０ｇを投入する。
（３）上記恒温室で、試験管の口をゴム栓にて栓をし、１回転させ、５分間静置する。
【００４４】
（４）上記恒温室で、測定すべき物質の層（通常は、上層）３．０ｇを、直径９０ｍｍのガラス製シャーレ（質量：Ｗ0）に採取する。
（５）上記シャーレを、オーブン内で、１０５℃で３時間加熱し、水分を蒸発させ、シャーレごと、質量を測定する（質量：Ｗ1）。
（６）抱水率を、以下の式に従って算出する。
抱水率（％）＝１００×（Ｗ0−Ｗ1）／３．０
測定は３回実施し、平均値を採用する。
【００４５】
上記抱水率の値が小さくなると、血液滑性付与剤と、経血との親和性が低下し、トップシートの肌当接面に到達した経血と共に移行しにくくなる傾向がある。一方、上記抱水率の値が大きくなると、界面活性剤のように、経血との親和性が非常に高くなり、トップシートの肌当接面に、吸収した経血が残存し、トップシートの肌当接面が赤く着色しやすくなる傾向がある。
【００４６】
また、上記抱水率の値が大きくなると、経血との親和性が非常に高くなり、第２エンボス部に到達した経血を跳ね返し、排泄口当接域の方向に押し戻しにくくなる。
さらに、上記抱水率の値が大きくなると、経血との親和性が非常に高くなり、第１エンボス部及び所望による第３エンボス部が血液滑性付与剤を含む場合に、経血を排泄口当接域内に跳ね返しにくくなる。
【００４７】
上記抱水率は、ａ）血液滑性付与剤の分子量が小さくなるほど、そしてｂ）極性基、例えば、カルボニル基（−ＣＯ−）、オキシ基（−Ｏ−）、カルボキシル基（−ＣＯＯＨ）、ヒドロキシル基（−ＯＨ）等、極性を有する結合、例えば、カルボニル結合（−ＣＯ−）、エステル結合（−ＣＯＯ−）、カーボネート結合（−ＯＣＯＯ−）、エーテル結合（−Ｏ−）等の比率が高いほど、値が大きくなる傾向がある。血液滑性付与剤が、より親水性を有するからである。また、抱水率は、ＩＯＢが大きくなるほど、すなわち、無機性値が高いほど、そして有機性値が小さいほど、値が大きくなる傾向がある。血液滑性付与剤が、より親水性を有することになるからである。
【００４８】
上記血液滑性付与剤は、約１，０００未満の重量平均分子量を有し、そして好ましくは約９００未満の重量平均分子量を有する。上記重量平均分子量が約１，０００以上であると、血液滑性付与剤そのものにタック性が生じ、着用者に不快感を与える傾向があるからである。また、重量平均分子量が高くなると、血液滑性付与剤の粘度が高くなる傾向があるため、加温により、血液滑性付与剤の粘度を、塗工に適した粘度に下げることが難しくなり、その結果、血液滑性付与剤を、溶媒で希釈しなければならない場合も生じうる。
【００４９】
上記血液滑性付与剤は、約１００以上の重量平均分子量を有することが好ましく、そして約２００以上の重量平均分子量を有することがより好ましい。上記重量平均分子量が小さくなると、上記血液滑性付与剤の蒸気圧が高くなり、保存中に気化してその量が減少する、着用時に血液滑性付与剤の臭気がする等の問題が生ずる場合があるからである。
【００５０】
なお、本明細書において、「重量平均分子量」は、多分散系の化合物（例えば、逐次重合により製造された化合物、複数の脂肪酸と、複数の脂肪族１価アルコールとから生成されたエステル）と、単一化合物（例えば、１種の脂肪酸と、１種の脂肪族１価アルコールから生成されたエステル）とを含む概念であり、Ｎi個の分子量Ｍiの分子（ｉ＝１、又はｉ＝１，２・・・）からなる系において、次の式：
Ｍw＝ΣＮiＭi2／ΣＮiＭi
により求められるＭwを意味する。
【００５１】
本明細書において、重量平均分子量は、ゲルパーミエーションクロマトグラフィー（ＧＰＣ）により求められる、ポリスチレン換算の値を意味する。
ＧＰＣの測定条件としては、例えば、以下が挙げられる。
機種：（株）日立ハイテクノロジーズ製  高速液体クロマトグラム  Ｌａｃｈｒｏｍ  Ｅｌｉｔｅ
カラム：昭和電工（株）製  ＳＨＯＤＥＸ  ＫＦ−８０１、ＫＦ−８０３及びＫＦ−８０４
溶離液：ＴＨＦ
流量  ：１．０ｍＬ／分
打込み量：１００μＬ
検出：ＲＩ（示差屈折計）
なお、本明細書の実施例に記載される重量平均分子量は、上記条件により測定したものである。
【００５２】
上記血液滑性付与剤は、約０．００〜約０．６０のＩＯＢを有することができる。
ＩＯＢ（Ｉｎｏｒｇａｎｉｃ  Ｏｒｇａｎｉｃ  Ｂａｌａｎｃｅ）は、親水性及び親油性のバランスを示す指標であり、本明細書では、小田らによる次式：
ＩＯＢ＝無機性値／有機性値
により算出される値を意味する。
【００５３】
上記無機性値と、有機性値とは、藤田穆「有機化合物の予測と有機概念図」化学の領域Ｖｏｌ．１１，Ｎｏ．１０（１９５７）ｐ．７１９−７２５）に記載される有機概念図に基づく。
藤田氏による、主要な基の有機性値及び無機性値を、下記表１にまとめる。
【００５４】
【表１】
0005717686.tif 000002
【００５５】
例えば、炭素数１４のテトラデカン酸と、炭素数１２のドデシルアルコールとのエステルの場合には、有機性値が５２０（ＣＨ2，２０×２６個）、無機性値が６０（−ＣＯＯＲ，６０×１個）となるため、ＩＯＢ＝０．１２となる。
【００５６】
上記血液滑性付与剤において、ＩＯＢは、約０．００〜約０．６０であることが好ましく、約０．００〜約０．５０であることがより好ましく、約０．００〜約０．４０であることがさらに好ましく、そして約０．００〜約０．３０であることがさらに好ましい。ＩＯＢが上述の範囲にあると、上記抱水力及び動粘度が、上述の要件を満たしやすくなるからである。
【００５７】
また、上記ＩＯＢの値が大きくなると、経血との親和性が非常に高くなり、第２エンボス部に到達した経血を、排泄口当接域に跳ね返しにくくなる。
さらに、上記ＩＯＢの値が大きくなると、経血との親和性が非常に高くなり、第１エンボス部及び所望による第３エンボス部が血液滑性付与剤を含む場合に、経血を排泄口当接域内に跳ね返しにくくなる。
【００５８】
上記血液滑性付与剤は、約４５℃以下の融点を有することが好ましく、そして約４０℃以下の融点を有することがより好ましい。血液滑性付与剤が約４５℃以下の融点を有することにより、上記血液滑性付与剤が、上述の範囲の動粘度を有しやすくなるからである。
【００５９】
本明細書において、「融点」は、示差走査熱量分析計において、昇温速度１０℃／分で測定した場合の、固形状から液状に変化する際の吸熱ピークのピークトップ温度を意味する。上記融点は、例えば、島津製作所社製のＤＳＣ−６０型ＤＳＣ測定装置を用いて測定することができる。
【００６０】
上記血液滑性付与剤は、約４５℃以下の融点を有すれば、室温（約２５℃）で液体であっても、又は固体であってもよい、すなわち、融点が約２５℃以上でも、又は約２５℃未満でもよく、そして例えば、約−５℃、約−２０℃等の融点を有することができる。
【００６１】
上記血液滑性付与剤は、その融点に下限は存在しないが、その蒸気圧が低いことが好ましい。上記血液滑性付与剤の蒸気圧は、１気圧及び２５℃で約０．００〜約０．０１Ｐａであることが好ましく、約０．０００〜約０．００１Ｐａであることがより好ましく、そして約０．００００〜約０．０００１Ｐａであることがさらに好ましい。
【００６２】
本開示の吸収性物品が、人体に接して用いられることを考慮すると、上記蒸気圧は、１気圧及び４０℃で約０．００〜約０．０１Ｐａであることが好ましく、約０．０００〜約０．００１Ｐａであることがより好ましく、そして約０．００００〜約０．０００１Ｐａであることがさらに好ましい。上記血液滑性付与剤の蒸気圧が高いと、保存中に気化し、その量の減少、着用時の臭気等の問題が発生する場合があるからである。
【００６３】
また、上記血液滑性付与剤の融点を、気候、着用時間の長さ等に応じて選択することができる。例えば、平均気温が約１０℃以下の地域では、約１０℃以下の融点を有する血液滑性付与剤を採用することにより、経血が排泄された後、周囲温度によって冷却された場合であっても、血液滑性付与剤が機能しやすいと考えられる。
【００６４】
また、吸収性物品が長時間にわたって使用される場合には、血液滑性付与剤の融点は、約４５℃以下の範囲で高い方が好ましい。汗、着用時の摩擦等の影響を受けにくく、長時間着用した場合であっても、血液滑性付与剤が偏りにくいからである。
【００６５】
当技術分野では、経血の表面張力等を変化させ、経血を迅速に吸収することを目的として、トップシートの肌当接面を、界面活性剤でコーティングすることが行われている。しかし、界面活性剤がコーティングされたトップシートは、経血中の親水性成分（血漿等）と親和性が非常に高く、それらを引き寄せ、むしろ経血をトップシートに残存させるようにはたらく傾向がある。上記血液滑性付与剤は、従来公知の界面活性剤と異なり、経血と親和性が過度に高くなく、経血をトップシートに残存させず、迅速に吸収体に移行させることができる。
【００６６】
上記血液滑性付与剤は、好ましくは、次の（ｉ）〜（ｉｉｉ）、
（ｉ）炭化水素、
（ｉｉ）  （ｉｉ−１）炭化水素部分と、（ｉｉ−２）上記炭化水素部分のＣ−Ｃ単結合間に挿入された、カルボニル基（−ＣＯ−）及びオキシ基（−Ｏ−）から成る群から選択される、一又は複数の、同一又は異なる基とを有する化合物、及び
（ｉｉｉ）  （ｉｉｉ−１）炭化水素部分と、（ｉｉｉ−２）上記炭化水素部分のＣ−Ｃ単結合間に挿入された、カルボニル基（−ＣＯ−）及びオキシ基（−Ｏ−）から成る群から選択される、一又は複数の、同一又は異なる基と、（ｉｉｉ−３）上記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択される。
【００６７】
本明細書において、「炭化水素」は、炭素と水素とから成る化合物を意味し、鎖状炭化水素、例えば、パラフィン系炭化水素（二重結合及び三重結合を含まない、アルカンとも称される）、オレフィン系炭化水素（二重結合を１つ含む、アルケンとも称される）、アセチレン系炭化水素（三重結合を１つ含む、アルキンとも称される）、及び二重結合及び三重結合から成る群から選択される結合を２つ以上含む炭化水素、並びに環状炭化水素、例えば、芳香族炭化水素、脂環式炭化水素が挙げられる。
【００６８】
上記炭化水素としては、鎖状炭化水素及び脂環式炭化水素であることが好ましく、鎖状炭化水素であることがより好ましく、パラフィン系炭化水素、オレフィン系炭化水素、及び二重結合を２つ以上含む炭化水素（三重結合を含まない）であることがさらに好ましく、そしてパラフィン系炭化水素であることがさらに好ましい。
上記鎖状炭化水素には、直鎖状炭化水素及び分岐鎖状炭化水素が含まれる。
【００６９】
上記（ｉｉ）及び（ｉｉｉ）の化合物において、オキシ基（−Ｏ−）が２つ以上挿入されている場合には、各オキシ基（−Ｏ−）は隣接していない。従って、上記（ｉｉ）及び（ｉｉｉ）の化合物には、オキシ基が連続する化合物（いわゆる、過酸化物）は含まれない。
【００７０】
また、上記（ｉｉｉ）の化合物では、炭化水素部分の少なくとも１つの水素原子がカルボキシル基（−ＣＯＯＨ）で置換された化合物よりも、炭化水素部分の少なくとも１つの水素原子が、ヒドロキシル基（−ＯＨ）で置換された化合物の方が好ましい。カルボキシル基は、経血中の金属等と結合し、血液滑性付与剤の抱水率が高くなり、所定の範囲を超える場合があるからである。これは、ＩＯＢの観点からも同様である。表１に示すように、カルボキシル基は、経血中の金属等と結合し、無機性値が１５０から、４００以上へと大幅に上昇するため、カルボキシル基を有する血液滑性付与剤は、使用時にＩＯＢの値が約０．６０を上回る場合がありうる。
【００７１】
上記血液滑性付与剤は、より好ましくは、次の（ｉ’）〜（ｉｉｉ’）、
（ｉ’）炭化水素、
（ｉｉ’）  （ｉｉ’−１）炭化水素部分と、（ｉｉ’−２）上記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合とを有する化合物、及び
（ｉｉｉ’）  （ｉｉｉ’−１）炭化水素部分と、（ｉｉｉ’−２）上記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、（ｉｉｉ’−３）上記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択される。
【００７２】
上記（ｉｉ’）及び（ｉｉｉ’）の化合物において、２以上の同一又は異なる結合が挿入されている場合、すなわち、カルボニル結合（−ＣＯ−）、エステル結合（−ＣＯＯ−）、カーボネート結合（−ＯＣＯＯ−）及びエーテル結合（−Ｏ−）から選択される２以上の同一又は異なる結合が挿入されている場合には、各結合は隣接しておらず、各結合の間には、少なくとも、炭素原子が１つ介在する。
【００７３】
上記血液滑性付与剤は、さらに好ましくは、炭化水素部分に、炭素原子１０個当たり、カルボニル結合（−ＣＯ−）を約１．８個以下、エステル結合（−ＣＯＯ−）を２個以下、カーボネート結合（−ＯＣＯＯ−）を約１．５個以下、エーテル結合（−Ｏ−）を約６個以下、カルボキシル基（−ＣＯＯＨ）を約０．８個以下、そして／又はヒドロキシル基（−ＯＨ）を約１．２個以下有することができる。
【００７４】
上記血液滑性付与剤は、さらに好ましくは、次の（Ａ）〜（Ｆ）、
（Ａ）  （Ａ１）鎖状炭化水素部分と、上記鎖状炭化水素部分の水素原子を置換する２〜４個のヒドロキシル基とを有する化合物と、（Ａ２）鎖状炭化水素部分と、上記鎖状炭化水素部分の水素原子を置換する１個のカルボキシル基とを有する化合物とのエステル、
（Ｂ）  （Ｂ１）鎖状炭化水素部分と、上記鎖状炭化水素部分の水素原子を置換する２〜４個のヒドロキシル基とを有する化合物と、（Ｂ２）鎖状炭化水素部分と、上記鎖状炭化水素部分の水素原子を置換する１個のヒドロキシル基とを有する化合物とのエーテル、
（Ｃ）  （Ｃ１）鎖状炭化水素部分と、上記鎖状炭化水素部分の水素原子を置換する、２〜４個のカルボキシル基とを含むカルボン酸、ヒドロキシ酸、アルコキシ酸又はオキソ酸と、（Ｃ２）鎖状炭化水素部分と、上記鎖状炭化水素部分の水素原子を置換する１個のヒドロキシル基とを有する化合物とのエステル、
（Ｄ）鎖状炭化水素部分と、上記鎖状炭化水素部分のＣ−Ｃ単結合間に挿入された、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つの結合とを有する化合物、
（Ｅ）ポリオキシＣ3〜Ｃ6アルキレングリコール、又はそのアルキルエステル若しくはアルキルエーテル、及び
（Ｆ）鎖状炭化水素、
並びにそれらの任意の組み合わせから成る群から選択される。
以下、（Ａ）〜（Ｆ）に従う血液滑性付与剤について詳細に説明する。
【００７５】
［（Ａ）  （Ａ１）鎖状炭化水素部分と、上記鎖状炭化水素部分の水素原子を置換する２〜４個のヒドロキシル基とを有する化合物と、（Ａ２）鎖状炭化水素部分と、上記鎖状炭化水素部分の水素原子を置換する１個のカルボキシル基とを有する化合物とのエステル］
（Ａ）（Ａ１）鎖状炭化水素部分と、上記鎖状炭化水素部分の水素原子を置換する２〜４個のヒドロキシル基とを有する化合物と、（Ａ２）鎖状炭化水素部分と、上記鎖状炭化水素部分の水素原子を置換する１個のカルボキシル基とを有する化合物とのエステル（以下、「化合物（Ａ）」と称する場合がある）は、上述の動粘度、抱水率及び重量平均分子量を有する限り、全てのヒドロキシル基がエステル化されていなくともよい。
【００７６】
（Ａ１）鎖状炭化水素部分と、上記鎖状炭化水素部分の水素原子を置換する２〜４個のヒドロキシル基とを有する化合物（以下、「化合物（Ａ１）」と称する場合がある）としては、例えば、鎖状炭化水素テトラオール、例えば、アルカンテトラオール、例えば、ペンタエリトリトール、鎖状炭化水素トリオール、例えば、アルカントリオール、例えば、グリセリン、及び鎖状炭化水素ジオール、例えば、アルカンジオール、例えば、グリコールが挙げられる。
【００７７】
（Ａ２）鎖状炭化水素部分と、上記鎖状炭化水素部分の水素原子を置換する１個のカルボキシル基とを有する化合物としては、例えば、炭化水素上の１つの水素原子が、１つのカルボキシル基（−ＣＯＯＨ）で置換された化合物、例えば、脂肪酸が挙げられる。
化合物（Ａ）としては、例えば、（ａ1）鎖状炭化水素テトラオールと少なくとも１の脂肪酸とのエステル、（ａ2）鎖状炭化水素トリオールと少なくとも１の脂肪酸とのエステル、及び（ａ3）鎖状炭化水素ジオールと少なくとも１の脂肪酸とのエステルが挙げられる。
【００７８】
［（ａ1）鎖状炭化水素テトラオールと少なくとも１の脂肪酸とのエステル］
上記鎖状炭化水素テトラオールと少なくとも１の脂肪酸とのエステルとしては、例えば、次の式（１）：
【化１】
0005717686.tif 000003
のペンタエリトリトールと脂肪酸とのテトラエステル、次の式（２）：
【化２】
0005717686.tif 000004
のペンタエリトリトールと脂肪酸とのトリエステル、次の式（３）：
【化３】
0005717686.tif 000005
のペンタエリトリトールと脂肪酸とのジエステル、次の式（４）：
【化４】
0005717686.tif 000006
のペンタエリトリトールと脂肪酸とのモノエステルが挙げられる。
（式中、Ｒ1〜Ｒ4は、それぞれ、鎖状炭化水素である）
【００７９】
上記ペンタエリトリトールと脂肪酸とのエステルを構成する脂肪酸（Ｒ1ＣＯＯＨ、Ｒ2ＣＯＯＨ，Ｒ3ＣＯＯＨ，及びＲ4ＣＯＯＨ）としては、ペンタエリトリトールと脂肪酸とのエステルが、上記動粘度、抱水率及び重量平均分子量の要件を満たすものであれば、特に制限されないが、例えば、飽和脂肪酸、例えば、Ｃ2〜Ｃ30の飽和脂肪酸、例えば、酢酸（Ｃ2）（Ｃ2は、炭素数を示し、Ｒ1Ｃ、Ｒ2Ｃ，Ｒ3Ｃ又はＲ4Ｃの炭素数に相当する、以下同じ）、プロパン酸（Ｃ3）、ブタン酸（Ｃ4）及びその異性体、例えば、２−メチルプロパン酸（Ｃ4）、ペンタン酸（Ｃ5）及びその異性体、例えば、２−メチルブタン酸（Ｃ5）、２，２−ジメチルプロパン酸（Ｃ5）、ヘキサン酸（Ｃ6）、ヘプタン酸（Ｃ7）、オクタン酸（Ｃ8）及びその異性体、例えば、２−エチルヘキサン酸（Ｃ8）、ノナン酸（Ｃ9）、デカン酸（Ｃ10）、ドデカン酸（Ｃ12）、テトラデカン酸（Ｃ14）、ヘキサデカン酸（Ｃ16）、ヘプタデカン酸（Ｃ17）、オクタデカン酸（Ｃ18）、エイコサン酸（Ｃ20）、ドコサン酸（Ｃ22）、テトラコサン酸（Ｃ24）、ヘキサコサン酸（Ｃ26）、オクタコサン酸（Ｃ28）、トリアコンタン酸（Ｃ30）等、並びに列挙されていないこれらの異性体が挙げられる。
【００８０】
上記脂肪酸はまた、不飽和脂肪酸であることができる。上記不飽和脂肪酸としては、例えば、Ｃ3〜Ｃ20の不飽和脂肪酸、例えば、モノ不飽和脂肪酸、例えば、クロトン酸（Ｃ4）、ミリストレイン酸（Ｃ14）、パルミトレイン酸（Ｃ16）、オレイン酸（Ｃ18）、エライジン酸（Ｃ18）、バクセン酸（Ｃ18）、ガドレイン酸（Ｃ20）、エイコセン酸（Ｃ20）等、ジ不飽和脂肪酸、例えば、リノール酸（Ｃ18）、エイコサジエン酸（Ｃ20）等、トリ不飽和脂肪酸、例えば、リノレン酸、例えば、α−リノレン酸（Ｃ18）及びγ−リノレン酸（Ｃ18）、ピノレン酸（Ｃ18）、エレオステアリン酸、例えば、α−エレオステアリン酸（Ｃ18）及びβ−エレオステアリン酸（Ｃ18）、ミード酸（Ｃ20）、ジホモ−γ−リノレン酸（Ｃ20）、エイコサトリエン酸（Ｃ20）等、テトラ不飽和脂肪酸、例えば、ステアリドン酸（Ｃ20）、アラキドン酸（Ｃ20）、エイコサテトラエン酸（Ｃ20）等、ペンタ不飽和脂肪酸、例えば、ボセオペンタエン酸（Ｃ18）、エイコサペンタエン酸（Ｃ20）等、並びにこれらの部分水素付加物が挙げられる。
【００８１】
上記ペンタエリトリトールと脂肪酸とのエステルとしては、酸化等により変性する可能性を考慮すると、飽和脂肪酸に由来する、ペンタエリトリトールと脂肪酸とのエステル、すなわち、ペンタエリトリトールと飽和脂肪酸とのエステルであることが好ましい。
また、上記ペンタエリトリトールと脂肪酸とのエステルとしては、抱水率の値を小さくする観点から、ジエステル、トリエステル又はテトラエステルであることが好ましく、トリエステル又はテトラエステルであることがより好ましく、そしてテトラエステルであることがさらに好ましい。
【００８２】
ＩＯＢを約０．００〜約０．６０とする観点から考察すると、上記ペンタエリトリトールと脂肪酸とのテトラエステルでは、ペンタエリトリトールと脂肪酸とのテトラエステルを構成する脂肪酸の炭素数の合計、すなわち、上記式（１）において、Ｒ1Ｃ、Ｒ2Ｃ、Ｒ3Ｃ及びＲ4Ｃ部分の炭素数の合計が、約１５であることが好ましい（上記炭素数の合計が１５の場合に、ＩＯＢが０．６０となる）。
【００８３】
上記ペンタエリトリトールと脂肪酸とのテトラエステルでは、例えば、ペンタエリトリトールと、ヘキサン酸（Ｃ6）、ヘプタン酸（Ｃ7）、オクタン酸（Ｃ8）、例えば、２−エチルヘキサン酸（Ｃ8）、ノナン酸（Ｃ9）、デカン酸（Ｃ10）及び／又はドデカン酸（Ｃ12）とのテトラエステルが挙げられる。
【００８４】
ＩＯＢを約０．００〜約０．６０とする観点から考察すると、上記ペンタエリトリトールと脂肪酸とのトリエステルでは、ペンタエリトリトールと脂肪酸とのトリエステルを構成する脂肪酸の炭素数の合計、すなわち、上記式（２）において、Ｒ1Ｃ、Ｒ2Ｃ及びＲ3Ｃ部分の炭素数の合計が、約１９以上であることが好ましい（上記炭素数の合計が１９の場合に、ＩＯＢが０．５８となる）。
【００８５】
ＩＯＢを約０．００〜約０．６０とする観点から考察すると、上記ペンタエリトリトールと脂肪酸とのジエステルでは、ペンタエリトリトールと脂肪酸とのジエステルを構成する脂肪酸の炭素数の合計、すなわち、上記式（３）において、Ｒ1Ｃ及びＲ2Ｃ部分の炭素数の合計が、約２２以上であることが好ましい（上記炭素数の合計が２２の場合に、ＩＯＢが０．５９となる）。
【００８６】
ＩＯＢを約０．００〜約０．６０とする観点から考察すると、上記ペンタエリトリトールと脂肪酸とのモノエステルでは、ペンタエリトリトールと脂肪酸とのモノエステルを構成する脂肪酸の炭素数、すなわち、上記式（４）において、Ｒ1Ｃ部分の炭素数が、約２５以上であることが好ましい（上記炭素数が２５の場合に、ＩＯＢが０．６０となる）。
なお、上記ＩＯＢの計算に当たっては、二重結合、三重結合、ｉｓｏ分岐、及びｔｅｒｔ分岐の影響は、考慮していない（以下、同様である）。
【００８７】
上記ペンタエリトリトールと脂肪酸とのエステルの市販品としては、ユニスター  Ｈ−４０８ＢＲＳ、Ｈ−２４０８ＢＲＳ−２２（混合品）等（以上、日油株式会社製）が挙げられる。
【００８８】
［（ａ2）鎖状炭化水素トリオールと少なくとも１の脂肪酸とのエステル］
上記鎖状炭化水素トリオールと少なくとも１の脂肪酸とのエステルとしては、例えば、次の式（５）：
【化５】
0005717686.tif 000007
のグリセリンと脂肪酸とのトリエステル、次の式（６）：
【化６】
0005717686.tif 000008
のグリセリンと脂肪酸とのジエステル、及び次の式（７）：
【化７】
0005717686.tif 000009
（式中、Ｒ5〜Ｒ7は、それぞれ、鎖状炭化水素である）
のグリセリンと脂肪酸とのモノエステルが挙げられる。
【００８９】
上記グリセリンと脂肪酸とのエステルを構成する脂肪酸（Ｒ5ＣＯＯＨ、Ｒ6ＣＯＯＨ及びＲ7ＣＯＯＨ）としては、グリセリンと脂肪酸とのエステルが、上記動粘度、抱水率及び重量平均分子量の要件を満たすものであれば、特に制限されず、例えば、「（ａ1）鎖状炭化水素テトラオールと少なくとも１の脂肪酸とのエステル」において列挙される脂肪酸、すなわち、飽和脂肪酸及び不飽和脂肪酸が挙げられ、酸化等により変性する可能性を考慮すると、飽和脂肪酸に由来する、グリセリンと脂肪酸とのエステル、すなわち、グリセリンと飽和脂肪酸とのエステルであることが好ましい。
【００９０】
また、上記グリセリンと脂肪酸とのエステルとしては、抱水率の値を小さくする観点から、ジエステル又はトリエステルであることが好ましく、そしてトリエステルであることがより好ましい。
【００９１】
上記グリセリンと脂肪酸とのトリエステルは、トリグリセリドとも称され、例えば、グリセリンとオクタン酸（Ｃ8）とのトリエステル、グリセリンとデカン酸（Ｃ10）とのトリエステル、グリセリンとドデカン酸（Ｃ12）とのトリエステル、及びグリセリンと、２種又は３種の脂肪酸とのトリエステル、並びにこれらの混合物が挙げられる。
【００９２】
上記グリセリンと、２種以上の脂肪酸とのトリエステルとしては、例えば、グリセリンと、オクタン酸（Ｃ8）及びデカン酸（Ｃ10）とのトリエステル、グリセリンと、オクタン酸（Ｃ8）、デカン酸（Ｃ10）及びドデカン酸（Ｃ12）とのトリエステル、グリセリンと、オクタン酸（Ｃ8）、デカン酸（Ｃ10）、ドデカン酸（Ｃ12）、テトラデカン酸（Ｃ14）、ヘキサデカン酸（Ｃ16）及びオクタデカン酸（Ｃ18）とのトリエステル等が挙げられる。
【００９３】
融点を約４５℃以下とする観点から考察すると、上記グリセリンと脂肪酸とのトリエステルは、グリセリンと脂肪酸とのトリエステルを構成する脂肪酸の炭素数の合計、すなわち、式（５）において、Ｒ5Ｃ、Ｒ6Ｃ及びＲ7Ｃ部分の炭素数の合計が、約４０以下であることが好ましい。
【００９４】
ＩＯＢを約０．００〜約０．６０とする観点から考察すると、上記グリセリンと脂肪酸とのトリエステルでは、グリセリンと脂肪酸とのトリエステルを構成する脂肪酸の炭素数の合計、すなわち、式（５）において、Ｒ5Ｃ、Ｒ6Ｃ及びＲ7Ｃ部分の炭素数の合計が、約１２以上であることが好ましい（炭素数の合計が１２の場合に、ＩＯＢが０．６０となる）。
上記グリセリンと脂肪酸とのトリエステルは、いわゆる、脂肪であり、人体を構成しうる成分であるため、安全性の観点から好ましい。
【００９５】
上記グリセリンと脂肪酸とのトリエステルの市販品としては、トリヤシ油脂肪酸グリセリド、ＮＡ３６、パナセート８００、パナセート８００Ｂ及びパナセート８１０Ｓ、並びにトリＣ２Ｌ油脂肪酸グリセリド及びトリＣＬ油脂肪酸グリセリド（以上、日油株式会社製）等が挙げられる。
【００９６】
上記グリセリンと脂肪酸とのジエステルは、ジグリセリドとも称され、例えば、グリセリンとデカン酸（Ｃ10）とのジエステル、グリセリンとドデカン酸（Ｃ12）とのジエステル、グリセリンとヘキサデカン酸（Ｃ16）とのジエステル、及びグリセリンと、２種の脂肪酸とのジエステル、並びにこれらの混合物が挙げられる。
【００９７】
ＩＯＢを約０．００〜約０．６０とする観点から考察すると、上記グリセリンと脂肪酸とのジエステルでは、グリセリンと脂肪酸とのジエステルを構成する脂肪酸の炭素数の合計、すなわち、式（６）において、Ｒ5Ｃ及びＲ6Ｃ部分の炭素数の合計が、約１６以上であることが好ましい（上記炭素数の合計が１６の場合にＩＯＢが０．５８となる）。
【００９８】
上記グリセリンと脂肪酸とのモノエステルは、モノグリセリドとも称され、例えば、グリセリンのオクタデカン酸（Ｃ18）モノエステル、グリセリンのドコサン酸（Ｃ22）モノエステル等が挙げられる。
【００９９】
ＩＯＢを約０．００〜約０．６０とする観点から考察すると、上記グリセリンと脂肪酸とのモノエステルでは、グリセリンと脂肪酸とのモノエステルを構成する脂肪酸の炭素数、すなわち、式（７）において、Ｒ5Ｃ部分の炭素数が、約１９以上であることが好ましい（上記炭素数が１９の場合に、ＩＯＢが０．５９となる）。
【０１００】
［（ａ3）鎖状炭化水素ジオールと少なくとも１の脂肪酸とのエステル］
上記鎖状炭化水素ジオールと少なくとも１の脂肪酸とのエステルとしては、例えば、Ｃ2〜Ｃ6の鎖状炭化水素ジオール、例えば、Ｃ2〜Ｃ6のグリコール、例えば、エチレングリコール、プロピレングリコール、ブチレングリコール、ペンチレングリコール又はヘキシレングリコールと、脂肪酸とのモノエステル又はジエステルが挙げられる。
【０１０１】
具体的には、上記鎖状炭化水素ジオールと少なくとも１の脂肪酸とのエステルとしては、例えば、次の式（８）：
Ｒ8ＣＯＯＣkＨ2kＯＣＯＲ9  （８）
（式中、ｋは、２〜６の整数であり、そしてＲ8及びＲ9は、それぞれ、鎖状炭化水素である）
のＣ2〜Ｃ6グリコールと脂肪酸とのジエステル、及び次の式（９）：
Ｒ8ＣＯＯＣkＨ2kＯＨ  （９）
（式中、ｋは、２〜６の整数であり、そしてＲ8は、鎖状炭化水素である）
のＣ2〜Ｃ6グリコールと脂肪酸とのモノエステルが挙げられる。
【０１０２】
上記Ｃ2〜Ｃ6グリコールと脂肪酸とのエステルにおいて、エステル化すべき脂肪酸（式（８）及び式（９）において、Ｒ8ＣＯＯＨ及びＲ9ＣＯＯＨに相当する）としては、Ｃ2〜Ｃ6グリコールと脂肪酸とのエステルが、上記動粘度、抱水率及び重量平均分子量の要件を満たすものであれば、特に制限されず、例えば、「（ａ1）鎖状炭化水素テトラオールと少なくとも１の脂肪酸とのエステル」において列挙されている脂肪酸、すなわち、飽和脂肪酸及び不飽和脂肪酸が挙げられ、酸化等により変性する可能性を考慮すると、飽和脂肪酸が好ましい。
【０１０３】
ＩＯＢを約０．００〜約０．６０とする観点から考察すると、式（８）に示されるブチレングリコール（ｋ＝４）と脂肪酸とのジエステルでは、Ｒ8Ｃ及びＲ9Ｃ部分の炭素数の合計が、約６以上であることが好ましい（上記炭素数の合計が６の場合に、ＩＯＢが０．６０となる）。
【０１０４】
ＩＯＢを約０．００〜約０．６０とする観点から考察すると、式（９）に示されるエチレングリコール（ｋ＝２）と脂肪酸とのモノエステルでは、Ｒ8Ｃ部分の炭素数が、約１２以上であることが好ましい（上記炭素数が１２の場合に、ＩＯＢが０．５７となる）。
【０１０５】
上記Ｃ2〜Ｃ6グリコールと脂肪酸とのエステルとしては、酸化等により変性する可能性を考慮すると、飽和脂肪酸に由来する、Ｃ2〜Ｃ6グリコールと脂肪酸とのエステル、すわなち、Ｃ2〜Ｃ6グリコールと飽和脂肪酸とのエステルであることが好ましい。
【０１０６】
また、上記Ｃ2〜Ｃ6グリコールと脂肪酸とのエステルとしては、抱水率の値を小さくする観点から、炭素数の大きいグリコールに由来する、グリコールと脂肪酸とのエステル、例えば、ブチレングリコール、ペンチレングリコール又はヘキシレングリコールに由来するグリコールと脂肪酸とのエステルであることが好ましい。
さらに、上記Ｃ2〜Ｃ6グリコールと脂肪酸とのエステルとしては、抱水率の値を小さくする観点から、ジエステルであることが好ましい。
上記Ｃ2〜Ｃ6グリコールと脂肪酸とのエステルの市販品としては、例えば、コムポールＢＬ、コムポールＢＳ（以上、日油株式会社製）等が挙げられる。
【０１０７】
［（Ｂ）  （Ｂ１）鎖状炭化水素部分と、上記鎖状炭化水素部分の水素原子を置換する２〜４個のヒドロキシル基とを有する化合物と、（Ｂ２）鎖状炭化水素部分と、上記鎖状炭化水素部分の水素原子を置換する１個のヒドロキシル基とを有する化合物とのエーテル］
（Ｂ）  （Ｂ１）鎖状炭化水素部分と、上記鎖状炭化水素部分の水素原子を置換する２〜４個のヒドロキシル基とを有する化合物と、（Ｂ２）鎖状炭化水素部分と、上記鎖状炭化水素部分の水素原子を置換する１個のヒドロキシル基とを有する化合物とのエーテル（以下、「化合物（Ｂ）」と称する場合がある）は、上述の動粘度、抱水率及び重量平均分子量を有する限り、全てのヒドロキシル基がエーテル化されていなくともよい。
【０１０８】
（Ｂ１）鎖状炭化水素部分と、上記鎖状炭化水素部分の水素原子を置換する２〜４個のヒドロキシル基とを有する化合物（以下、「化合物（Ｂ１）」と称する場合がある）としては、「化合物（Ａ）」において化合物（Ａ１）として列挙されるもの、例えば、ペンタエリトリトール、グリセリン、及びグリコールが挙げられる。
【０１０９】
（Ｂ２）鎖状炭化水素部分と、上記鎖状炭化水素部分の水素原子を置換する１個のヒドロキシル基とを有する化合物（以下、「化合物（Ｂ２）」と称する場合がある）としては、例えば、炭化水素の１個の水素原子が、１個のヒドロキシル基（−ＯＨ）で置換された化合物、例えば、脂肪族１価アルコール、例えば、飽和脂肪族１価アルコール及び不飽和脂肪族１価アルコールが挙げられる。
【０１１０】
上記飽和脂肪族１価アルコールとしては、例えば、Ｃ1〜Ｃ20の飽和脂肪族１価アルコール、例えば、メチルアルコール（Ｃ1）（Ｃ1は、炭素数を示す、以下同じ）、エチルアルコール（Ｃ2）、プロピルアルコール（Ｃ3）及びその異性体、例えば、イソプロピルアルコール（Ｃ3）、ブチルアルコール（Ｃ4）及びその異性体、例えば、ｓｅｃ−ブチルアルコール（Ｃ4）及びｔｅｒｔ−ブチルアルコール（Ｃ4）、ペンチルアルコール（Ｃ5）、ヘキシルアルコール（Ｃ6）、ヘプチルアルコール（Ｃ7）、オクチルアルコール（Ｃ8）及びその異性体、例えば、２−エチルヘキシルアルコール（Ｃ8）、ノニルアルコール（Ｃ9）、デシルアルコール（Ｃ10）、ドデシルアルコール（Ｃ12）、テトラデシルアルコール（Ｃ14）、ヘキサデシルアルコール（Ｃ16）、へプラデシルアルコール（Ｃ17）、オクタデシルアルコール（Ｃ18）、及びエイコシルアルコール（Ｃ20）、並びに列挙されていないこれらの異性体が挙げられる。
【０１１１】
上記不飽和脂肪族１価アルコールとしては、上記飽和脂肪族１価アルコールのＣ−Ｃ単結合の１つを、Ｃ＝Ｃ二重結合で置換したもの、例えば、オレイルアルコールが挙げられ、例えば、新日本理化株式会社から、リカコールシリーズ及びアンジェコオールシリーズの名称で市販されている。
【０１１２】
化合物（Ｂ）としては、例えば、（ｂ1）鎖状炭化水素テトラオールと少なくとも１の脂肪族１価アルコールとのエーテル、例えば、モノエーテル、ジエーテル、トリエーテル及びテトラエーテル、好ましくはジエーテル、トリエーテル及びテトラエーテル、より好ましくはトリエーテル及びテトラエーテル、そしてさらに好ましくはテトラエーテル、（ｂ2）鎖状炭化水素トリオールと少なくとも１の脂肪族１価アルコールとのエーテル、例えば、モノエーテル、ジエーテル及びトリエーテル、好ましくはジエーテル及びトリエーテル、そしてより好ましくはトリエーテル、並びに（ｂ3）鎖状炭化水素ジオールと少なくとも１の脂肪族１価アルコールとのエーテル、例えば、モノエーテル及びジエーテル、そして好ましくはジエーテルが挙げられる。
【０１１３】
上記鎖状炭化水素テトラオールと少なくとも１の脂肪族１価アルコールとのエーテルとしては、例えば、次の式（１０）〜（１３）：
【化８】
0005717686.tif 000010
（式中、Ｒ10〜Ｒ13は、それぞれ、鎖状炭化水素である。）
の、ペンタエリトリトールと脂肪族１価アルコールとのテトラエーテル、トリエーテル、ジエーテル及びモノエーテルが挙げられる。
【０１１４】
上記鎖状炭化水素トリオールと少なくとも１の脂肪族１価アルコールとのエーテルとしては、例えば、次の式（１４）〜（１６）：
【化９】
0005717686.tif 000011
（式中、Ｒ14〜Ｒ16は、それぞれ、鎖状炭化水素である。）
の、グリセリンと脂肪族１価アルコールとのトリエーテル、ジエーテル及びモノエーテルが挙げられる。
【０１１５】
上記鎖状炭化水素ジオールと少なくとも１の脂肪族１価アルコールとのエーテルとしては、次の式（１７）：
Ｒ17ＯＣnＨ2nＯＲ18  （１７）
（式中、ｎは、２〜６の整数であり、そしてＲ17及びＲ18は、それぞれ、鎖状炭化水素である）
のＣ2〜Ｃ6グリコールと脂肪族１価アルコールとのジエーテル、及び次の式（１８）：
Ｒ17ＯＣnＨ2nＯＨ  （１８）
（式中、ｎは、２〜６の整数であり、そしてＲ17は、鎖状炭化水素である）
のＣ2〜Ｃ6グリコールと脂肪族１価アルコールとのモノエーテルが挙げられる。
【０１１６】
ＩＯＢを約０．００〜約０．６０とする観点から考察すると、上記ペンタエリトリトールと脂肪族１価アルコールとのテトラエーテルでは、ペンタエリトリトールと脂肪族１価アルコールとのテトラエーテルを構成する脂肪族１価アルコールの炭素数の合計、すなわち、上記式（１０）において、Ｒ10、Ｒ11、Ｒ12及びＲ13部分の炭素数の合計が、約４以上であることが好ましい（上記炭素数の合計が４の場合に、ＩＯＢが０．４４となる）。
【０１１７】
ＩＯＢを約０．００〜約０．６０とする観点から考察すると、上記ペンタエリトリトールと脂肪族１価アルコールとのトリエーテルでは、ペンタエリトリトールと脂肪族１価アルコールとのトリエーテルを構成する脂肪族１価アルコールの炭素数の合計、すなわち、上記式（１１）において、Ｒ10、Ｒ11及びＲ12部分の炭素数の合計が、約９以上であることが好ましい（上記炭素数の合計が９の場合に、ＩＯＢが０．５７となる）。
【０１１８】
ＩＯＢを約０．００〜約０．６０とする観点から考察すると、上記ペンタエリトリトールと脂肪族１価アルコールとのジエーテルでは、ペンタエリトリトールと脂肪族１価アルコールとのジエーテルを構成する脂肪族１価アルコールの炭素数の合計、すなわち、上記式（１２）において、Ｒ10及びＲ11部分の炭素数の合計が、約１５以上であることが好ましい（上記炭素数の合計が１５の場合に、ＩＯＢが０．６０となる）。
【０１１９】
ＩＯＢを約０．００〜約０．６０とする観点から考察すると、上記ペンタエリトリトールと脂肪族１価アルコールとのモノエーテルでは、ペンタエリトリトールと脂肪族１価アルコールとのモノエーテルを構成する脂肪族１価アルコールの炭素数、すなわち、上記式（１３）において、Ｒ10部分の炭素数が、約２２以上であることが好ましい（上記炭素数が２２の場合に、ＩＯＢが０．５９となる）。
【０１２０】
また、ＩＯＢを約０．００〜約０．６０とする観点から考察すると、上記グリセリンと脂肪族１価アルコールとのトリエーテルでは、グリセリンと脂肪族１価アルコールとのトリエーテルを構成する脂肪族１価アルコールの炭素数の合計、すなわち、式（１４）において、Ｒ14、Ｒ15及びＲ16部分の炭素数の合計が、約３以上であることが好ましい（上記炭素数の合計が３の場合に、ＩＯＢが０．５０となる）。
【０１２１】
ＩＯＢを約０．００〜約０．６０とする観点から考察すると、上記グリセリンと脂肪族１価アルコールとのジエーテルでは、グリセリンと脂肪族１価アルコールとのジエーテルを構成する脂肪族１価アルコールの炭素数の合計、すなわち、式（１５）において、Ｒ14及びＲ15部分の炭素数の合計が、約９以上であることが好ましい（上記炭素数の合計が９の場合に、ＩＯＢが０．５８となる）。
【０１２２】
ＩＯＢを約０．００〜約０．６０とする観点から考察すると、上記グリセリンと脂肪族１価アルコールとのモノエーテルでは、グリセリンと脂肪族１価アルコールとのモノエーテルを構成する脂肪族１価アルコールの炭素数、すなわち、式（１６）において、Ｒ14部分の炭素数が、約１６以上であることが好ましい（上記炭素数が１６の場合に、ＩＯＢが０．５８となる）。
【０１２３】
ＩＯＢを約０．００〜約０．６０とする観点から考察すると、式（１７）に示されるブチレングリコール（ｎ＝４）と脂肪族１価アルコールとのジエーテルでは、Ｒ17及びＲ18部分の炭素数の合計が、約２以上であることが好ましい（上記炭素数の合計が２の場合に、ＩＯＢが０．３３となる）。
また、ＩＯＢを約０．００〜約０．６０とする観点から考察すると、式（１８）に示されるエチレングリコール（ｎ＝２）と脂肪族１価アルコールとのモノエーテルでは、Ｒ17部分の炭素数が、約８以上であることが好ましい（上記炭素数が８の場合に、ＩＯＢが０．６０となる）。
【０１２４】
化合物（Ｂ）としては、化合物（Ｂ１）と、化合物（Ｂ２）とを、酸触媒の存在下で、脱水縮合することにより生成することができる。
【０１２５】
［（Ｃ）  （Ｃ１）鎖状炭化水素部分と、上記鎖状炭化水素部分の水素原子を置換する、２〜４個のカルボキシル基とを含むカルボン酸、ヒドロキシ酸、アルコキシ酸又はオキソ酸と、（Ｃ２）鎖状炭化水素部分と、上記鎖状炭化水素部分の水素原子を置換する１個のヒドロキシル基とを有する化合物とのエステル］
（Ｃ）  （Ｃ１）鎖状炭化水素部分と、上記鎖状炭化水素部分の水素原子を置換する、２〜４個のカルボキシル基とを含むカルボン酸、ヒドロキシ酸、アルコキシ酸又はオキソ酸と、（Ｃ２）鎖状炭化水素部分と、上記鎖状炭化水素部分の水素原子を置換する１個のヒドロキシル基とを有する化合物とのエステル（以下、「化合物（Ｃ）」と称する場合がある）は、上述の動粘度、抱水率及び重量平均分子量を有する限り、全てのカルボキシル基がエステル化されていなくともよい。
【０１２６】
（Ｃ１）鎖状炭化水素部分と、上記鎖状炭化水素部分の水素原子を置換する、２〜４個のカルボキシル基とを含むカルボン酸、ヒドロキシ酸、アルコキシ酸又はオキソ酸（以下、「化合物（Ｃ１）」と称する場合がある）としては、例えば、２〜４個のカルボキシル基を有する鎖状炭化水素カルボン酸、例えば、鎖状炭化水素ジカルボン酸、例えば、アルカンジカルボン酸、例えば、エタン二酸、プロパン二酸、ブタン二酸、ペンタン二酸、ヘキサン二酸、ヘプタン二酸、オクタン二酸、ノナン二酸及びデカン二酸、鎖状炭化水素トリカルボン酸、例えば、アルカントリカルボン酸、例えば、プロパン三酸、ブタン三酸、ペンタン三酸、ヘキサン三酸、ヘプタン三酸、オクタン三酸、ノナン三酸及びデカン三酸、並びに鎖状炭化水素テトラカルボン酸、例えば、アルカンテトラカルボン酸、例えば、ブタン四酸、ペンタン四酸、ヘキサン四酸、ヘプタン四酸、オクタン四酸、ノナン四酸及びデカン四酸が挙げられる。
【０１２７】
また、化合物（Ｃ１）には、２〜４個のカルボキシル基を有する鎖状炭化水素ヒドロキシ酸、例えば、リンゴ酸、酒石酸、クエン酸、イソクエン酸等、２〜４個のカルボキシル基を有する鎖状炭化水素アルコキシ酸、例えば、Ｏ−アセチルクエン酸、及び２〜４個のカルボキシル基を有する鎖状炭化水素オキソ酸が含まれる。
（Ｃ２）鎖状炭化水素部分と、上記鎖状炭化水素部分の水素原子を置換する１個のヒドロキシル基とを有する化合物としては、「化合物（Ｂ）」の項で列挙されるもの、例えば、脂肪族１価アルコールが挙げられる。
【０１２８】
化合物（Ｃ）としては、（ｃ1）４個のカルボキシル基を有する鎖状炭化水素テトラカルボン酸、ヒドロキシ酸、アルコキシ酸又はオキソ酸と、少なくとも１の脂肪族１価アルコールとのエステル、例えば、モノエステル、ジエステル、トリエステル及びテトラエステル、好ましくはジエステル、トリエステル及びテトラエステル、より好ましくはトリエステル及びテトラエステル、そしてさらに好ましくはテトラエステル、（ｃ2）３個のカルボキシル基を有する鎖状炭化水素トリカルボン酸、ヒドロキシ酸、アルコキシ酸又はオキソ酸と、少なくとも１の脂肪族１価アルコールとのエステル、例えば、モノエステル、ジエステル及びトリエステル、好ましくはジエステル及びトリエステル、そしてより好ましくはトリエステル、並びに（ｃ3）２個のカルボキシル基を有する鎖状炭化水素ジカルボン酸、ヒドロキシ酸、アルコキシ酸又はオキソ酸と、少なくとも１の脂肪族１価アルコールとのエステル、例えば、モノエステル及びジエステル、好ましくはジエステルが挙げられる。
化合物（Ｃ）の例としては、アジピン酸ジオクチル、Ｏ−アセチルクエン酸トリブチル等が挙げられ、そして市販されている。
【０１２９】
［（Ｄ）鎖状炭化水素部分と、上記鎖状炭化水素部分のＣ−Ｃ単結合間に挿入された、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つの結合とを有する化合物］
（Ｄ）鎖状炭化水素部分と、上記鎖状炭化水素部分のＣ−Ｃ単結合間に挿入された、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つの結合とを有する化合物（以下、「化合物（Ｄ）」と称する場合がある）としては、（ｄ1）脂肪族１価アルコールと脂肪族１価アルコールとのエーテル、（ｄ2）ジアルキルケトン、（ｄ3）脂肪酸と脂肪族１価アルコールとのエステル、及び（ｄ4）ジアルキルカーボネートが挙げられる。
【０１３０】
［（ｄ1）脂肪族１価アルコールと脂肪族１価アルコールとのエーテル］
上記脂肪族１価アルコールと脂肪族１価アルコールとのエーテルとしては、次の式（１９）：
Ｒ19ＯＲ20    （１９）
（式中、Ｒ19及びＲ20は、それぞれ、鎖状炭化水素である）
を有する化合物が挙げられる。
【０１３１】
上記エーテルを構成する脂肪族１価アルコール（式（１９）において、Ｒ19ＯＨ及びＲ20ＯＨに相当する）としては、上記エーテルが、上述の動粘度、抱水率及び重量平均分子量の要件を満たすものであれば、特に制限されず、例えば、「化合物（Ｂ）」の項で列挙される脂肪族１価アルコールが挙げられる。
【０１３２】
［（ｄ2）ジアルキルケトン］
上記ジアルキルケトンとしては、次の式（２０）：
Ｒ21ＣＯＲ22    （２０）
（式中、Ｒ21及びＲ22は、それぞれ、アルキル基である）
を有する化合物が挙げられる。
上記ジアルキルケトンは、市販されている他、公知の方法、例えば、第二級アルコールを、クロム酸等で酸化することにより得ることができる。
【０１３３】
［（ｄ3）脂肪酸と脂肪族１価アルコールとのエステル］
上記脂肪酸と脂肪族１価アルコールとのエステルとしては、例えば、次の式（２１）：
Ｒ23ＣＯＯＲ24  （２１）
（式中、Ｒ23及びＲ24は、それぞれ、鎖状炭化水素である）
を有する化合物が挙げられる。
【０１３４】
上記エステルを構成する脂肪酸（式（２１）において、Ｒ23ＣＯＯＨに相当する）としては、例えば、「（ａ1）鎖状炭化水素テトラオールと脂肪酸とのエステル」において列挙されている脂肪酸、すなわち、飽和脂肪酸又は不飽和脂肪酸が挙げられ、酸化等により変性する可能性を考慮すると、飽和脂肪酸が好ましい。上記エステルを構成する脂肪族１価アルコール（式（２１）において、Ｒ24ＯＨに相当する）としては、例えば、「化合物（Ｂ）」の項で列挙される脂肪族１価アルコールが挙げられる。
【０１３５】
上記脂肪酸と脂肪族１価アルコールとのエステルの例としては、例えば、ドデカン酸（Ｃ12）と、ドデシルアルコール（Ｃ12）とのエステル、テトラデカン酸（Ｃ14）と、ドデシルアルコール（Ｃ12）とのエステル等が挙げられ、上記脂肪酸と脂肪族１価アルコールとのエステルの市販品としては、例えば、エレクトールＷＥ２０、及びエレクトールＷＥ４０（以上、日油株式会社製）が挙げられる。
【０１３６】
［（ｄ4）ジアルキルカーボネート］
上記ジアルキルカーボネートとしては、次の式（２２）：
Ｒ25ＯＣ（＝Ｏ）ＯＲ26    （２２）
（式中、Ｒ25及びＲ26は、それぞれ、アルキル基である）
を有する化合物が挙げられる。
上記ジアルキルカーボネートは、市販されている他、ホスゲンとアルコールとの反応、塩化ギ酸エステルとアルコール又はアルコラートとの反応、及び炭酸銀とヨウ化アルキルとの反応により合成することができる。
【０１３７】
抱水率、蒸気圧等の観点から考察すると、（ｄ1）脂肪族１価アルコールと脂肪族１価アルコールとのエーテル、（ｄ2）ジアルキルケトン、（ｄ3）脂肪酸と脂肪族１価アルコールとのエステル、及び（ｄ4）ジアルキルカーボネートでは、重量平均分子量が約１００以上であることが好ましく、そして約２００以上であることがより好ましい。
なお、（ｄ2）ジアルキルケトンにおいて、上記炭素数の合計が約８の場合、例えば、５−ノナノンでは、融点は約−５０℃であり、蒸気圧は２０℃で約２３０Ｐａである。
【０１３８】
［（Ｅ）ポリオキシＣ3〜Ｃ6アルキレングリコール、又はそのアルキルエステル若しくはアルキルエーテル］
（Ｅ）ポリオキシＣ3〜Ｃ6アルキレングリコール、又はそのアルキルエステル若しくはアルキルエーテル（以下、化合物（Ｅ）と称する場合がある）としては、（ｅ1）ポリオキシＣ3〜Ｃ6アルキレングリコール、（ｅ2）ポリオキシＣ3〜Ｃ6アルキレングリコールと少なくとも１の脂肪酸とのエステル、（ｅ3）ポリオキシＣ3〜Ｃ6アルキレングリコールと少なくとも１の脂肪族１価アルコールとのエーテルが挙げられる。以下、説明する。
【０１３９】
［（ｅ1）ポリオキシＣ3〜Ｃ6アルキレングリコール］
上記ポリオキシＣ3〜Ｃ6アルキレングリコールは、ｉ）オキシＣ3〜Ｃ6アルキレン骨格、すなわち、オキシプロピレン骨格、オキシブチレン骨格、オキシペンチレン骨格、及びオキシヘキシレン骨格から成る群から選択されるいずれか１種の骨格を有し且つ両末端にヒドロキシ基を有するホモポリマー、ｉｉ）上記群から選択される２種以上の骨格を有し且つ両末端にヒドロキシ基を有するブロックコポリマー、又はｉｉｉ）上記群から選択される２種以上の骨格を有し且つ両末端にヒドロキシ基を有するランダムコポリマーを意味する。
【０１４０】
上記ポリオキシＣ3〜Ｃ6アルキレングリコールは、次の式（２３）：
ＨＯ−（ＣmＨ2mＯ）n−Ｈ      （２３）
（式中、ｍは３〜６の整数である）
により表わされる。
【０１４１】
本開示者が確認したところ、ポリプロピレングリコール（式（２３）において、ｍ＝３のホモポリマーに相当する）では、重量平均分子量が約１，０００未満の場合には、抱水率の要件を満たさないことが見いだされた。従って、上記血液滑性付与剤の範囲に、ポリプロピレングリコールのホモポリマーは含まれず、プロピレングリコールは、他のグリコールとのコポリマー又はランダムポリマーとして、（ｅ1）ポリオキシＣ3〜Ｃ6アルキレングリコールに含まれるべきである。
【０１４２】
なお、本開示者が確認したところ、ポリエチレングリコール（式（２３）において、ｍ＝２のホモポリマーに相当する）では、重量平均分子量が１，０００未満では、動粘度及び抱水率の要件を満たし得ないことが示唆された。
【０１４３】
ＩＯＢを約０．００〜約０．６０とする観点から考察すると、例えば、式（２３）がポリブチレングリコール（ｍ＝４のホモポリマー）である場合には、ｎ≧約７であることが好ましい（ｎ＝７の場合に、ＩＯＢが０．５７となる）。
上記ポリＣ3〜Ｃ6アルキレングリコールの市販品としては、例えば、ユニオール（商標）ＰＢ−５００及びＰＢ−７００（以上、日油株式会社製）が挙げられる。
【０１４４】
［（ｅ2）ポリオキシＣ3〜Ｃ6アルキレングリコールと少なくとも１の脂肪酸とのエステル］
上記ポリオキシＣ3〜Ｃ6アルキレングリコールと少なくとも１の脂肪酸とのエステルとしては、「（ｅ1）ポリオキシＣ3〜Ｃ6アルキレングリコール」の項で説明したポリオキシＣ3〜Ｃ6アルキレングリコールのＯＨ末端の一方又は両方が、脂肪酸によりエステル化されているもの、すなわち、モノエステル及びジエステルが挙げられる。
【０１４５】
ポリオキシＣ3〜Ｃ6アルキレングリコールと少なくとも１の脂肪酸とのエステルにおいて、エステル化すべき脂肪酸としては、例えば、「（ａ1）鎖状炭化水素テトラオールと少なくとも１の脂肪酸とのエステル」において列挙されている脂肪酸、すなわち、飽和脂肪酸又は不飽和脂肪酸が挙げられ、酸化等により変性する可能性を考慮すると、飽和脂肪酸が好ましい。
【０１４６】
［（ｅ3）ポリオキシＣ3〜Ｃ6アルキレングリコールと少なくとも１の脂肪族１価アルコールとのエーテル］
上記ポリオキシＣ3〜Ｃ6アルキレングリコールと少なくとも１の脂肪族１価アルコールとのエーテルとしては、「（ｅ1）ポリオキシＣ3〜Ｃ6アルキレングリコール」の項で説明したポリオキシＣ3〜Ｃ6アルキレングリコールのＯＨ末端の一方又は両方が、脂肪族１価アルコールによりエーテル化されているもの、すなわち、モノエーテル及びジエーテルが挙げられる。
ポリオキシＣ3〜Ｃ6アルキレングリコールと少なくとも１の脂肪族１価アルコールとのエーテルにおいて、エーテル化すべき脂肪族１価アルコールとしては、例えば、「化合物（Ｂ）」の項で列挙されている脂肪族１価アルコールが挙げられる。
【０１４７】
［（Ｆ）鎖状炭化水素］
上記鎖状炭化水素としては、例えば、（ｆ1）鎖状アルカン、例えば、直鎖アルカン及び分岐鎖アルカンが挙げられる。直鎖アルカンは、融点が約４５℃以下の場合には、炭素数が約２２以下となり、そして蒸気圧が１気圧及び２５℃で約０．０１Ｐａ以下である場合には、炭素数が約１３以上となる。分岐鎖アルカンは、直鎖アルカンよりも、同一炭素数において融点が低い傾向がある。従って、分岐鎖アルカンは、融点が約４５℃以下の場合でも、炭素数が２２以上のものも含むことができる。
上記炭化水素の市販品としては、例えば、パールリーム６（日油株式会社）が挙げられる。
【０１４８】
上記液透過性のトップシートとしての不織布及び織布を構成する繊維として、天然繊維及び化学繊維が挙げられ、天然繊維としては、例えば、粉砕パルプ、コットン等のセルロースが挙げられ、化学繊維としては、例えば、レーヨン、フィブリルレーヨン等の再生セルロース、アセテート、トリアセテート等の半合成セルロース、熱可塑性疎水性化学繊維、並びに親水化処理を施した熱可塑性疎水性化学繊維が挙げられる。
【０１４９】
上記熱可塑性疎水性化学繊維としては、例えば、ポリエチレン（ＰＥ）、ポリプロピレン（ＰＰ）、ポリエチレンテレフタレート（ＰＥＴ）等の単繊維、ＰＥ及びＰＰのグラフト重合物からなる繊維が挙げられる。
上記不織布の例としては、例えば、エアスルー不織布、スパンボンド不織布、ポイントボンド不織布、スパンレース不織布、ニードルパンチ不織布、メルトブローン不織布、及びこれらの組み合わせ（例えば、ＳＭＳ等）等が挙げられる。
【０１５０】
また、上記不織布は、特開２００８−２０３４号等に記載の方法に従って製造された、複数の畝部と、複数の溝部とを有する、畝溝構造を有する不織布であってもよい。
【０１５１】
また、上記不織布は、特開２０１１−２２６０１０号、特開２０１１−２２６０１１号等に記載の方法に従って製造された複数の畝部と、複数の溝部とを有する、畝溝構造を有する不織布であってもよい。当該畝溝構造を有する不織布は、搬送方向と直交する回転軸線を有する一対のギアロールであって、当該ギアロールのそれぞれの外周面に配置された複数の歯を互いに噛み合わせながら回転するものの間隙に、処理すべき不織布を通し、流体処理することにより形成することができる。
上記畝溝構造を有する不織布から、例えば、吸収性物品の長手方向に延びる、複数の畝部と、複数の溝部とを有するトップシートを形成することができる。
【０１５２】
上記液不透過性のバックシートとしては、ＰＥ、ＰＰ等を含むフィルム、通気性を有する樹脂フィルム、スパンボンド又はスパンレース等の不織布に通気性を有する樹脂フィルムを接合したもの、ＳＭＳ等の複層不織布等が挙げられる。吸収性物品の柔軟性を考慮すると、例えば、坪量約１５〜約３０ｇ／ｍ2の低密度ポリエチレン（ＬＤＰＥ）フィルムが好ましい。
【０１５３】
本開示の吸収性物品の実施形態の１つでは、吸収性物品が、液透過性のトップシートと、吸収体との間に、セカンドシートを含むことができ、上記セカンドシートとしては、液透過性のトップシートと同様の例が挙げられる。
【０１５４】
上記吸収体の第１の例としては、吸収コアが、コアラップで覆われているものが挙げられる。
上記吸収コアの構成要素としては、例えば、親水性繊維、例えば、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、及び親水化処理された熱可塑性疎水性化学繊維、並びにこれらの組み合わせ等が挙げられる。また、上記吸収コアの構成要素として、高吸収性ポリマー、例えば、アクリル酸ナトリウムコポリマー等の粒状物が挙げられる。
【０１５５】
上記コアラップとしては、液透過性で高分子吸収体が透過しないバリアー性を有する物であれば、特に制限されず、例えば、織布、不織布等が挙げられる。上記織布及び不織布としては、天然繊維、化学繊維、ティッシュ等が挙げられる。
【０１５６】
上記吸収体の第２の例としては、吸収シート又はポリマーシートから形成されたものが挙げられ、その厚さは、約０．３〜約５．０ｍｍであることが好ましい。上記吸収シート及びポリマーシートとしては、通常、生理用ナプキン等の吸収性物品に用いられるものであれば特に制限なく用いることができる。
【０１５７】
第１エンボス部及び第２エンボス部、並びに所望による第３エンボス部は、当技術分野で公知の方法により形成することができ、例えば、上下一対のエンボスロールであって、一方にパターンが形成されているものを、繊維の融点未満の温度及び約１００〜約１０００Ｎ／ｃｍの圧力で、トップシート及び吸収体（又はトップシート、セカンドシート及び吸収体）をエンボスすることにより、上記エンボス部を形成することができる。
【０１５８】
本開示の吸収性物品の実施形態の１つでは、排泄口当接域内のトップシート及び／又は第２エンボス部が、その肌側の表面、すなわち、肌当接面に、血液滑性付与剤を含む。本開示の吸収性物品の別の実施形態では、排泄口当接域内のトップシート及び／又は第２エンボス部が、肌当接面と、肌当接面及び着衣側表面の間の内部とに血液滑性付与剤を含む。本開示の吸収性物品のさらに別の実施形態では、排泄口当接域内のトップシート及び／又は第２エンボス部が、その厚さ方向全体、すなわち、肌当接面と、肌当接面及び着衣側表面の間の内部と、着衣側表面とに血液滑性付与剤を含む。排泄口当接域内のトップシート及び／又は第２エンボス部の内部及び／又は着衣側表面に血液滑性付与剤が存在することにより、肌当接面に存在する経血を、吸収体に迅速に移行させることができる。
【０１５９】
本開示の吸収性物品の実施形態の１つでは、第１エンボス部及び／又は所望による第３エンボス部が、肌当接面に、血液滑性付与剤を含む。本開示の吸収性物品の別の実施形態では、第１エンボス部及び／又は所望による第３エンボス部が、肌当接面と、肌当接面及び着衣側表面の間の内部とに血液滑性付与剤を含む。本開示の吸収性物品のさらに別の実施形態では、第１エンボス部及び／又は所望による第３エンボス部が、その厚さ方向全体、すなわち、肌当接面と、肌当接面及び着衣側表面の間の内部と、着衣側表面とに血液滑性付与剤を含む。第１エンボス部及び／又は所望による第３エンボス部の内部及び／又は着衣側表面に血液滑性付与剤が存在することにより、そこに到達した経血を、排泄口当接域に跳ね返しやすくなる。
【０１６０】
また、上記血液滑性付与剤は、トップシートを構成する不織布又は織布の繊維間の空隙を閉塞しないことが好ましく、上記血液滑性付与剤は、例えば、不織布又は織布の繊維の表面に、液滴状又は粒子状で付着しているか、又は繊維の表面を覆うことができる。
また、上記血液滑性付与剤は、吸収した経血とともに移行するため、また経血を跳ね返すために、その表面積が大きいことが好ましく、液滴状又は粒子状で存在する血液滑性付与剤は、粒径が小さいことが好ましい。
【０１６１】
上記液透過性のトップシートとしての不織布及び織布を構成する繊維は、親水剤がその表面にコーティングされているか、又は繊維の原料と親水剤とを混合することにより、その表面が親水化処理されていることが好ましい。繊維が親水性を有することにより、トップシート上に血液滑性付与剤に由来する親油性領域と、親水剤に由来する親水性領域とがまばらに共存することになり、経血を移行させやすくなるからである。
【０１６２】
上記血液滑性付与剤の塗布方法は、特に制限されるものではなく、必要に応じて加熱され、例えば、非接触式のコーター、例えば、スパイラルコーター、カーテンコーター、スプレーコーター、ディップコーター等、接触式のコーター等により、所望の領域に塗布されることができる。
【０１６３】
液滴状又は粒子状の血液滑性付与剤が均一に分散される点、及びトップシートにダメージを与えない観点から、非接触式のコーターが好ましい。また、上記血液滑性付与剤は、室温で液体の場合にはそのまま、又は粘度を下げるために加熱し、そして室温で固体の場合には液化するように加熱して、コントロールシームＨＭＡガンから塗布することができる。コントロールシームＨＭＡガンのエアー圧を高くすることにより、微粒子状の血液滑性付与剤を塗布することができる。
【０１６４】
上記血液滑性付与剤は、トップシートの素材、例えば、不織布を製造する際に塗布されることができ、又は吸収性物品を製造する製造ラインにおいて塗布されることもできる。設備投資を抑制する観点からは、吸収性物品の製造ラインにおいて、血液滑性付与剤を塗布することが好ましく、さらに、血液滑性付与剤が脱落し、ラインを汚染することを抑制するためには、製造ラインの川下工程、具体的には、製品を個包装に封入する直前に、血液滑性付与剤を塗布することが好ましい。
【０１６５】
上記血液滑性付与剤は潤滑剤としても作用しうる。従って、血液滑性付与剤が、繊維同士の摩擦を低減させ、不織布又は織布全体のしなやかさを向上させることができる。
本開示の吸収性物品の好ましい実施形態では、吸収性物品が、経血を吸収することを目的とするもの、例えば、生理用ナプキン、パンティーライナー等である。
【０１６６】
なお、本開示の吸収性物品は、公知のスキンケア組成物、ローション組成物等を含む吸収性物品とは異なり、エモリエント剤、固定化剤等の成分が不要であり、血液滑性付与剤は、単体で、トップシートに適用されうる。
【実施例】
【０１６７】
以下、例を挙げて本開示を説明するが、本開示はこれらの例に限定されるものではない。
［例１］
［リウェット率及び吸収体移行速度の評価］
図１に示されるような、市販の生理用ナプキンを準備した。当該生理用ナプキンは、親水剤で処理されたエアスルー不織布（ポリエステル及びポリエチレンテレフタレートから成る複合繊維、坪量：３５ｇ／ｍ2）から形成されたトップシートと、エアスルー不織布（ポリエステル及びポリエチレンテレフタレートから成る複合繊維、坪量：３０ｇ／ｍ2）から形成されたセカンドシートと、パルプ（坪量：１５０〜４５０ｇ／ｍ2、中央部ほど多い）、アクリル系高吸収ポリマー（坪量：１５ｇ／ｍ2）及びコアラップとしてのティッシュを含む吸収体と、撥水剤処理されたサイドシートと、ポリエチレンフィルムから成るバックシートとから形成されていた。
【０１６８】
以下に、実験に用いられた血液滑性付与剤を列挙する。
［（ａ1）鎖状炭化水素テトラオールと少なくとも１の脂肪酸とのエステル］
・ユニスター  Ｈ−４０８ＢＲＳ，日油株式会社製
テトラ２−エチルヘキサン酸ペンタエリトリトール，重量平均分子量：約６４０
・ユニスター  Ｈ−２４０８ＢＲＳ−２２，日油株式会社製
テトラ２−エチルヘキサン酸ペンタエリトリトールと、ジ２−エチルヘキサン酸ネオペンチルグリコールとの混合物（５８：４２、重量比），重量平均分子量：約５２０
【０１６９】
［（ａ2）鎖状炭化水素トリオールと少なくとも１の脂肪酸とのエステル］
・トリＣ２Ｌ油脂肪酸グリセリド，日油株式会社製
Ｃ8の脂肪酸：Ｃ10の脂肪酸：Ｃ12の脂肪酸がおおよそ３７：７：５６の重量比で含まれている、グリセリンと脂肪酸とのトリエステル，重量平均分子量：約５７０
・トリＣＬ油脂肪酸グリセリド，日油株式会社製
Ｃ8の脂肪酸：Ｃ12の脂肪酸がおおよそ４４：５６の重量比で含まれている、グリセリンと脂肪酸とのトリエステル，重量平均分子量：約５７０
【０１７０】
・パナセート８１０ｓ，日油株式会社製
Ｃ8の脂肪酸：Ｃ10の脂肪酸がおおよそ８５：１５の重量比で含まれている、グリセリンと脂肪酸とのトリエステル，重量平均分子量：約４８０
・パナセート８００，日油株式会社製
脂肪酸が全てオクタン酸（Ｃ8）である、グリセリンと脂肪酸とのトリエステル，重量平均分子量：約４７０
【０１７１】
・パナセート８００Ｂ，日油株式会社製
脂肪酸が全て２−エチルヘキサン酸（Ｃ8）である、グリセリンと脂肪酸とのトリエステル，重量平均分子量：約４７０
・ＮＡ３６，日油株式会社製
Ｃ16の脂肪酸：Ｃ18の脂肪酸：Ｃ20の脂肪酸（飽和脂肪酸及び不飽和脂肪酸の両方を含む）がおおよそ５：９２：３の重量比で含まれている、グリセリンと脂肪酸とのトリエステル，重量平均分子量：約８８０
【０１７２】
・トリヤシ油脂肪酸グリセリド，日油株式会社製
Ｃ8の脂肪酸：Ｃ10の脂肪酸：Ｃ12の脂肪酸：Ｃ14の脂肪酸：Ｃ16の脂肪酸（飽和脂肪酸及び不飽和脂肪酸の両方を含む）がおおよそ４：８：６０：２５：３の重量比で含まれている、グリセリンと脂肪酸とのトリエステル，重量平均分子量：６７０
・カプリル酸ジグリセリド，日油株式会社製
脂肪酸がオクタン酸である、グリセリンと脂肪酸とのジエステル，重量平均分子量：３４０
【０１７３】
［（ａ3）鎖状炭化水素ジオールと少なくとも１の脂肪酸とのエステル］
・ユニスター  Ｈ−２０８ＢＲＳ，日油株式会社製
ジ２−エチルヘキサン酸ネオペンチルグリコール，重量平均分子量：約３６０
・コムポールＢＬ，日油株式会社製
ブチレングリコールのドデカン酸（Ｃ12）モノエステル，重量平均分子量：約２７０
・コムポールＢＳ，日油株式会社製
ブチレングリコールのオクタデカン酸（Ｃ18）モノエステル，重量平均分子量：約３５０
【０１７４】
［（ｃ2）３個のカルボキシル基を有する鎖状炭化水素トリカルボン酸、ヒドロキシ酸、アルコキシ酸又はオキソ酸と、少なくとも１の脂肪族１価アルコールとのエステル］
・Ｏ−アセチルクエン酸トリブチル，東京化成工業株式会社製
重量平均分子量：約４００
・クエン酸トリブチル，東京化成工業株式会社製
重量平均分子量：約３６０
【０１７５】
［（ｃ3）２個のカルボキシル基を有する鎖状炭化水素ジカルボン酸、ヒドロキシ酸、アルコキシ酸又はオキソ酸と、少なくとも１の脂肪族１価アルコールとのエステル］
・アジピン酸ジオクチル，和光純薬工業製
重量平均分子量：約３８０
【０１７６】
［（ｄ3）脂肪酸と脂肪族１価アルコールとのエステル］
・エレクトールＷＥ２０，日油株式会社製
ドデカン酸（Ｃ12）と、ドデシルアルコール（Ｃ12）とのエステル，重量平均分子量：約３６０
・エレクトールＷＥ４０，日油株式会社製
テトラデカン酸（Ｃ14）と、ドデシルアルコール（Ｃ12）とのエステル，重量平均分子量：約３９０
【０１７７】
［（ｅ1）ポリオキシＣ3〜Ｃ6アルキレングリコール］
・ユニオールＰＢ５００，日油株式会社製
ポリブチレングリコール，重量平均分子量：約５００
・ユニオールＰＢ７００，日油株式会社製
ポリオキシブチレンポリオキシプロピレングリコール，重量平均分子量：約７００
【０１７８】
［（ｆ1）鎖状アルカン］
・パールリーム６，日油株式会社製
流動イソパラフィン、イソブテン及びｎ−ブテンを共重合し、次いで水素を付加することにより生成された分岐鎖炭化水素、重合度：約５〜約１０，重量平均分子量：約３３０
【０１７９】
［その他の材料］
・ＮＡ５０，日油株式会社製
ＮＡ３６に水素を付加し、原料である不飽和脂肪酸に由来する二重結合の比率を下げたグリセリンと脂肪酸とのトリエステル，重量平均分子量：約８８０
・（カプリル酸／カプリン酸）モノグリセリド，日油株式会社製
オクタン酸（Ｃ8）及びデカン酸（Ｃ10）がおおよそ８５：１５の重量比で含まれている、グリセリンと脂肪酸とのモノエステル，重量平均分子量：約２２０
・Ｍｏｎｏｍｕｌｓ  ９０−Ｌ２ラウリン酸モノグリセリド，コグニスジャパン株式会社製
【０１８０】
・クエン酸イソプロピル，東京化成工業株式会社製
重量平均分子量：約２３０
・リンゴ酸ジイソステアリル
重量平均分子量：約６４０
・ユニオールＰＢ１０００Ｒ，日油株式会社製
ポリブチレングリコール，重量平均分子量：約１，０００
・ユニオールＤ−２５０，日油株式会社製
ポリプロピレングリコール，重量平均分子量：約２５０
【０１８１】
・ユニオールＤ−４００，日油株式会社製
ポリプロピレングリコール，重量平均分子量：約４００
・ユニオールＤ−７００，日油株式会社製
ポリプロピレングリコール，重量平均分子量：約７００
・ユニオールＤ−１０００，日油株式会社製
ポリプロピレングリコール，重量平均分子量：約１，０００
・ユニオールＤ−１２００，日油株式会社製
ポリプロピレングリコール，重量平均分子量：約１，１６０
【０１８２】
・ユニオールＤ−２０００，日油株式会社製
ポリプロピレングリコール，重量平均分子量：約２，０３０
・ユニオールＤ−３０００，日油株式会社製
ポリプロピレングリコール，重量平均分子量：約３，０００
・ユニオールＤ−４０００，日油株式会社製
ポリプロピレングリコール，重量平均分子量：約４，０００
【０１８３】
・ＰＥＧ１５００，日油株式会社製
ポリエチレングリコール，重量平均分子量：約１，５００〜約１，６００
・ウィルブライトｃｐ９，日油株式会社製
ポリブチレングリコールの両末端のＯＨ基が、ヘキサデカン酸（Ｃ16）によりエステル化された化合物，重量平均分子量：約１，１５０
・ユニルーブＭＳ−７０Ｋ，日油株式会社製
ポリプロピレングリコールのステアリルエーテル，約１５の繰返し単位，重量平均分子量：約１，１４０
【０１８４】
・ノニオンＳ−６，日油株式会社製
ポリオキシエチレンモノステアレート、約７の繰返し単位、重量平均分子量：約８８０
・ユニルーブ５ＴＰ−３００ＫＢ
ペンタエリトリトール１モルに、エチレンオキシド５モルと、プロピレンオキシド６５モルとを付加させることにより生成した、ポリオキシエチレンポリオキシプロピレンペンタエリスリトールエーテル，重量平均分子量：４，１３０
【０１８５】
・ウィルブライトｓ７５３，日油株式会社製
ポリオキシエチレンポリオキシプロピレンポリオキシブチレングリセリン，重量平均分子量：約９６０
・ユニオール  ＴＧ−３３０，日油株式会社製
ポリプロピレングリコールのグリセリルエーテル，約６の繰返し単位，重量平均分子量：約３３０
【０１８６】
・ユニオール  ＴＧ−１０００，日油株式会社製
ポリプロピレングリコールのグリセリルエーテル，約１６の繰返し単位，重量平均分子量：約１，０００
・ユニオール  ＴＧ−３０００，日油株式会社製
ポリプロピレングリコールのグリセリルエーテル，約１６の繰返し単位，重量平均分子量：約３，０００
・ユニオール  ＴＧ−４０００，日油株式会社製
ポリプロピレングリコールのグリセリルエーテル，約１６の繰返し単位，重量平均分子量：約４，０００
【０１８７】
・ユニルーブ  ＤＧＰ−７００，日油株式会社製
ポリプロピレングリコールのジグリセリルエーテル，約９の繰返し単位，重量平均分子量：約７００
・ユニオックスＨＣ６０，日油株式会社製
ポリオキシエチレン硬化ヒマシ油，重量平均分子量：約３，５７０
・ワセリン，コグニスジャパン株式会社製
石油に由来する炭化水素、半固形
【０１８８】
上記試料の、動粘度、抱水率、重量平均分子量、ＩＯＢ及び融点を、下記表２に示す。
また、融点に関し、「＜４５」は、融点が４５℃未満であることを意味する。
【０１８９】
上記生理用ナプキンのトップシートの排泄口当接域と、第２エンボス部とを、上述の血液滑性付与剤で塗工した。各血液滑性付与剤を、血液滑性付与剤が室温で液体である場合にはそのまま、そして血液滑性付与剤が室温で固体である場合には、融点＋２０℃まで加熱し、次いで、コントロールシームＨＭＡガンを用いて、各血液滑性付与剤を微粒化し、トップシートの肌当接面に、坪量がおおよそ５ｇ／ｍ2となるように塗布した。
【０１９０】
図３は、トップシートがトリＣ２Ｌ油脂肪酸グリセリドを含む生理用ナプキン（Ｎｏ．１−５）における、トップシートの肌当接面の電子顕微鏡写真である。図３から明らかなように、トリＣ２Ｌ油脂肪酸グリセリドは、微粒子状で、繊維の表面に存在している。
【０１９１】
［試験方法］
各血液滑性付与剤を含むトップシートの上に、穴の開いたアクリル板（２００ｍｍ×１００ｍｍ，１２５ｇ，中央に、４０ｍｍ×１０ｍｍの穴が開いている）を置き、上記穴から、３７±１℃のウマＥＤＴＡ血（ウマの血液に、凝結防止のため、エチレンジアミン四酢酸（以下、「ＥＤＴＡ」と称する）が添加されたもの）３ｇを、ピペットを用いて滴下（１回目）し、１分後、３７±１℃のウマＥＤＴＡ血３ｇを、アクリル板の穴から、ピペットで再度滴下した（２回目）。
【０１９２】
２回目の血液の滴下後、直ちに上記アクリル板を外し、血液を滴下した場所に、ろ紙（アドバンテック東洋株式会社  定性濾紙  Ｎｏ．２，５０ｍｍ×３５ｍｍ）１０枚を置き、その上から、圧力が３０ｇ／ｃｍ2となるようにおもりを置いた。１分後、上記ろ紙を取出し、以下の式に従って、「リウェット率」を算出した。
リウェット率（％）＝１００×（試験後のろ紙質量−当初のろ紙質量）／６
【０１９３】
また、リウェット率の評価とは別に、２回目の血液の滴下後、血液がトップシートから吸収体に移行する時間である「吸収体移行速度」を測定した。上記吸収体移行速度は、トップシートに血液を投入してから、トップシートの表面及び内部に、血液の赤さが見られなくなるまでの時間を意味する。
リウェット率と、吸収体移行速度の結果を、下記表２に示す。
【０１９４】
また、吸収体移行速度の試験後のトップシート（ＴＳ）の肌当接面の白さを、以下の基準に従って、目視で評価した。
◎：血液の赤さがほとんど残っておらず、血液が存在した場所と、存在していない場所の区別がつかない
○：血液の赤さが若干残っているが、血液の存在した場所と、存在していない場所の区別がつきいにくい
△：血液の赤さが若干残っており、血液が存在した場所が分かる
×：血液の赤さがそのまま残っている
【０１９５】
さらに、トップシートの肌当接面のタック性を、以下の基準に従って３５℃で測定した。
○：タック性なし
△：若干のタック性有り
×：タック性有り
結果を、併せて下記表２に示す。
【０１９６】
【表２−１】
0005717686.tif 000012
【０１９７】
【表２−２】
0005717686.tif 000013
【０１９８】
血液滑性付与剤を有しない場合には、リウェット率は２２．７％であり、そして吸収体移行速度は６０秒超であったが、グリセリンと脂肪酸とのトリエステルは、いずれも、リウェット率が７．０％以下であり、そして吸収体移行速度が８秒以下であることから、吸収性能が大幅に改善されていることが分かる。
【０１９９】
同様に、４０℃における約０．０１〜８０ｍｍ2／ｓの動粘度と、約０．０１〜約４．０質量％の抱水率と、約１，０００未満の重量平均分子量とを有する血液滑性付与剤では、吸収性能が大きく改善されることが分かった。
【０２００】
次に、Ｎｏ．１−１〜１−５１の生理用ナプキンを、複数のボランティアの被験者に着用してもらったところ、Ｎｏ．１−１〜１−２３の血液滑性付与剤を含む生理用ナプキンでは、経血を吸収した後であってもトップシートにべたつき感がなく、トップシートがサラサラしているとの回答を得た。
【０２０１】
また、Ｎｏ．１−１〜１−２３、特にＮｏ．１−１１，１３，１６，１８〜２０及び２３の血液滑性付与剤を含む生理用ナプキンでは、経血を吸収後のトップシートの排泄口当接域が、血液で赤く染まりにくく、不快感が少ないとの回答を得た。さらに、Ｎｏ．１−１〜１−２３、特にＮｏ．１−１１，１３，１６，１８〜２０及び２３では、トップシートの排泄口当接域が経血で赤く着色されにくいが、吸収体が多量の経血を吸収した後に、第２エンボス部が赤く染まるため、交換時期を視覚的に確認しやすいとの回答を得た。また、長時間着用しても、漏れにくかったとの回答を得た。
血液滑性付与剤の作用を確認するために、さらに以下の実験を行った。
【０２０２】
［例２］
［畝溝構造を有するトップシートにおける経血の表面残存率］
畝溝構造を有するトップシートにおける経血の表面残存率を評価した。
親水剤で処理されたエアスルー不織布（ポリエステル及びポリエチレンテレフタレートから成る複合繊維、坪量：３５ｇ／ｍ2）から形成されたトップシートと、エアスルー不織布（ポリエステル及びポリエチレンテレフタレートから成る複合繊維、坪量：３０ｇ／ｍ2）から形成されたセカンドシートと、パルプ（坪量：１５０〜４５０ｇ／ｍ2、中央部ほど多い）、アクリル系高吸収ポリマー（坪量：１５ｇ／ｍ2）及びコアラップとしてのティッシュを含む吸収体と、撥水剤処理されたサイドシートと、ポリエチレンフィルムから成るバックシートとを準備した。
【０２０３】
上記トップシートは、特開２００８−２０３４号に記載の方法に従って製造された、畝溝構造を有するトップシートであり、畝部の厚さが約１．５ｍｍであり、溝部の厚さが約０．４ｍｍであり、畝溝構造のピッチ（畝部の幅＋溝部の幅）が約４ｍｍであり、そして溝部には、開孔率約１５％の開孔部が形成されていた。
【０２０４】
血液滑性付与剤として、ユニスター  Ｈ−４０８ＢＲＳ（日油株式会社製、ペンタエリトリトールと脂肪酸とのテトラエステル）を選択し、室温において、コントロールシームＨＭＡガンから、上記トップシートの肌当接面（畝溝面）に、５．０ｇ／ｍ2の坪量で塗工した。電子顕微鏡で確認したところ、Ｈ−４０８ＢＲＳは、微粒子状で、繊維の表面に付着していた。
次いで、バックシート、吸収体、セカンドシート、そして畝溝面を上にしてトップシートを順に重ね合わせることにより、生理用ナプキンＮｏ．２−１を形成した。
【０２０５】
血液滑性付与剤を、ユニスター  Ｈ−４０８ＢＲＳから、下記表３に示されるものに変更して、生理用ナプキンＮｏ．２−２〜Ｎｏ．２−４０を製造した。なお、血液滑性付与剤が室温で液体である場合には、そのまま、そして血液滑性付与剤が室温で固体である場合には、融点＋２０℃まで加熱し、次いで、コントロールシームＨＭＡガンを用いて、血液滑性付与剤を微粒化し、トップシートの肌当接面に、坪量がおおよそ５ｇ／ｍ2となるように塗布した。
また、血液滑性付与剤は、トップシートの肌当接面のほぼ全面に、そして畝部及び溝部の両方に塗工された。
【０２０６】
［試験方法］
トップシートの質量Ｗ2（試験前のトップシートの質量）を測定した後、吸収性物品の長手方向及び幅方向の中央部且つトップシートの上に、穴の開いたアクリル板（２００ｍｍ×１００ｍｍ，１２５ｇ，中央に、４０ｍｍ×１０ｍｍの穴が開いている）を置き、上記穴から、３７±１℃のウマＥＤＴＡ血（ウマの血液に、凝結防止のため、エチレンジアミン四酢酸（以下、「ＥＤＴＡ」と称する）が添加されたもの）４．０ｇを、ピペットを用いて滴下した。
【０２０７】
ウマＥＤＴＡ血の滴下後、直ちに上記アクリル板を外し、トップシートを取出し、その質量Ｗ3（試験後のトップシートの質量）を測定し、以下の式に従って、「表面残存率（質量％）」を算出した。
表面残存率（質量％）
＝１００×（Ｗ3−Ｗ2）／４．０
結果を、下記表３に示す。
【０２０８】
【表３−１】
0005717686.tif 000014
【０２０９】
【表３−２】
0005717686.tif 000015
【０２１０】
血液滑性付与剤を有しない生理用ナプキンＮｏ．２−４０では、表面残存率が７．５質量％であったが、動粘度及び抱水率が所定の範囲内にある生理用ナプキンＮｏ．２−１〜Ｎｏ．２−１６では、表面残存率が２．５質量％以下であった。
【０２１１】
生理用ナプキンＮｏ．２−１〜Ｎｏ．２−１６では、トップシートの畝部に滴下されたウマＥＤＴＡ血が、畝部から溝部へと滑落し、溝部から吸収体内部に迅速に吸収される様子が観察された。一方、血液滑性付与剤を有しない生理用ナプキンＮｏ.２−４０では、滴下したウマＥＤＴＡ血は、溝部に滑落するのではなく、溝部にゆっくりと垂れ落ち、その多くがトップシートの畝部に残存した。また、抱水率が高い吸収性物品、例えば、Ｎｏ.２−２５では、トップシートの畝部に滴下されたウマＥＤＴＡ血は、溝部に滑落するのではなく、トップシートに一部残存しながらゆっくりと垂れ落ち、そして一部が畝部に残存した。
【０２１２】
［例３］
［血液滑性付与剤を含む血液の粘性］
血液滑性付与剤を含む血液の粘性を、Ｒｈｅｏｍｅｔｒｉｃ  Ｅｘｐａｎｓｉｏｎ  Ｓｙｓｔｅｍ  ＡＲＥＳ（Ｒｈｅｏｍｅｔｒｉｃ  Ｓｃｉｅｎｔｉｆｉｃ，Ｉｎｃ）を用いて測定した。ウマ脱繊維血に、パナセート８１０ｓを２質量％添加し、軽く撹拌して試料を形成し、直径５０ｍｍのパラレルプレートに試料を載せ、ギャップを１００μｍとし、３７±０．５℃で粘度を測定した。パラレルプレートゆえ、試料に均一なせん断速度はかかっていないが、機器に表示された平均せん断速度は、１０ｓ−1であった。
【０２１３】
パナセート８１０ｓを２質量％含むウマ脱繊維血の粘度は、５．９ｍＰａ・ｓであり、一方、血液滑性付与剤を含まないウマ脱繊維血の粘度は、５０．４ｍＰａ・ｓであった。従って、パナセート８１０ｓを２質量％含むウマ脱繊維血は、血液滑性付与剤を含まない場合と比較して、約９０％粘度を下げることが分かる。
【０２１４】
血液は、血球等の成分を含み、チキソトロピーの性質を有することが知られているが、上記血液滑性付与剤は、低粘度域で、経血等の血液の粘度を下げる作用をも有すると考えられる。血液の粘度を下げることにより、吸収した経血を、トップシートから吸収体に速やかに移行しやすくなると考えられる。
【０２１５】
［例４］
［血液滑性付与剤を含む経血の顕微鏡写真］
健常ボランティアの経血を、食品保護用ラップフィルム上に採取し、その一部に、１０倍の質量のリン酸緩衝生理食塩水中に分散されたパナセート８１０ｓを、パナセート８１０ｓの濃度が１質量％となるように添加した。経血を、スライドグラスに適下し、カバーグラスをかけ、光学顕微鏡にて、赤血球の状態を観察した。血液滑性付与剤を含まない経血の顕微鏡写真を図４（ａ）に、そしてパナセート８１０ｓを含む経血の顕微鏡写真を図４（ｂ）に示す。
【０２１６】
図４（ａ）から、血液滑性付与剤を含まない経血では、赤血球が連銭等の集合塊を形成していることが分かり、そして図４（ｂ）から、パナセート８１０ｓを含む経血では、赤血球が、それぞれ、安定に分散していることが分かる。従って、血液滑性付与剤は、経血の中で、赤血球を安定化させる働きをも有することが示唆される。
【０２１７】
［例５］
［血液滑性付与剤を含む血液の表面張力］
血液滑性付与剤を含む血液の表面張力を、協和界面科学社製接触角計  Ｄｒｏｐ  Ｍａｓｔｅｒ５００を用い、ペンダントドロップ法にて測定した。表面張力は、ヒツジ脱繊維血に、所定の量の血液滑性付与剤を添加し、十分振とうした後に測定した。
測定は、機器が自動で行うが、密度γは、以下の式により求められる（図５を参照）。
【０２１８】
γ＝ｇ×ρ×（ｄｅ）2×１／Ｈ
ｇ：重力定数
１／Ｈ：ｄｓ／ｄｅから求められる補正項
ρ：密度
ｄｅ：最大直径
ｄｓ：滴下端よりｄｅだけ上がった位置での径
【０２１９】
密度ρは、ＪＩＳ  Ｋ  ２２４９−１９９５の「密度試験方法及び密度・質量・容量換算表」の５．振動式密度試験方法に準拠し、下記表４に示される温度で測定した。
測定には、京都電子工業株式会社のＤＡ−５０５を用いた。
結果を、下記表４に示す。
【０２２０】
【表４】
0005717686.tif 000016
【０２２１】
表４から、血液滑性付与剤は、血液の表面張力を下げる作用をも有することが分かる。
血液の表面張力を下げることにより、吸収した血液をトップシートの繊維間に保持せず、速やかに吸収体に移行させることができると考えられる。
【０２２２】
本開示は、以下の（Ｊ１）〜（Ｊ１０）に関する。
［Ｊ１］
液透過性のトップシートと、液不透過性のバックシートと、上記トップシート及びバックシートの間の吸収体とを有する吸収性物品であって、
上記トップシートが、不織布又は織布から形成され、
上記吸収性物品が、その厚さ方向に上記吸収体と重複する範囲において、着用者の排泄口に接する排泄口当接域と、当該排泄口当接域を囲むように連続的又は非連続的に配置されている第１エンボス部と、第１エンボス部より外側の外縁領域とを有し、
上記吸収性物品が、上記排泄口当接域の長手方向外側に位置する外縁領域に配置されており且つ上記トップシート及び吸収体を含む層をエンボスすることにより形成された第２エンボス部を含み、
上記排泄口当接域内のトップシートと、第２エンボス部とが、それぞれ、４０℃における０．０１〜８０ｍｍ2／ｓの動粘度と、０．０１〜４．０質量％の抱水率と、１，０００未満の重量平均分子量とを有する血液滑性付与剤を含む、
ことを特徴とする、上記吸収性物品。
【０２２３】
［Ｊ２］
上記血液滑性付与剤が、０．００〜０．６０のＩＯＢをさらに有する、Ｊ１に記載の吸収性物品。
［Ｊ３］
第２エンボス部が、上記排泄口当接域の長手方向端部を囲むように湾曲して配置されている、Ｊ１又はＪ２に記載の吸収性物品。
【０２２４】
［Ｊ４］
上記トップシートが、上記排泄口当接域と、第２エンボス部との間に、上記血液滑性付与剤を含まない領域を有する、Ｊ１〜Ｊ３のいずれか一項に記載の吸収性物品。
［Ｊ５］
第１エンボス部が、上記血液滑性付与剤をさらに含む、Ｊ１〜Ｊ４のいずれか一項に記載の吸収性物品。
【０２２５】
［Ｊ６］
第１エンボス部が、上記排泄口当接域を囲むように非連続的に配置されており、第１エンボス部の外側に、第３エンボス部がさらに配置されている、Ｊ１〜Ｊ５のいずれか一項に記載の吸収性物品。
［Ｊ７］
第３エンボス部が、第１エンボス部の非連続部分の外側に配置されている、Ｊ６に記載の吸収性物品。
［Ｊ８］
第３エンボス部が、上記血液滑性付与剤を含む、Ｊ６又はＪ７に記載の吸収性物品。
【０２２６】
［Ｊ９］
上記吸収性物品が、上記トップシートと吸収体との間にセカンドシートをさらに有し、第１エンボス部が、上記トップシート、セカンドシート及び吸収体を含む層をエンボスすることにより形成された、Ｊ１〜Ｊ８のいずれか一項に記載の吸収性物品。
［Ｊ１０］
第２エンボス部が、上記トップシート、セカンドシート及び吸収体を含む層をエンボスすることにより形成された、Ｊ９に記載の吸収性物品。
【０２２７】
［Ｊ１１］
上記血液滑性付与剤が、次の（ｉ）〜（ｉｉｉ）、
（ｉ）炭化水素、
（ｉｉ）  （ｉｉ−１）炭化水素部分と、（ｉｉ−２）上記炭化水素部分のＣ−Ｃ単結合間に挿入された、カルボニル基（−ＣＯ−）及びオキシ基（−Ｏ−）から成る群から選択される、一又は複数の、同一又は異なる基とを有する化合物、及び
（ｉｉｉ）  （ｉｉｉ−１）炭化水素部分と、（ｉｉｉ−２）上記炭化水素部分のＣ−Ｃ単結合間に挿入された、カルボニル基（−ＣＯ−）及びオキシ基（−Ｏ−）から成る群から選択される、一又は複数の、同一又は異なる基と、（ｉｉｉ−３）上記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択され、
ここで、（ｉｉ）又は（ｉｉｉ）の化合物において、オキシ基が２つ以上挿入されている場合には、各オキシ基は隣接していない、
Ｊ１〜Ｊ１０のいずれか一項に記載の吸収性物品。
【０２２８】
［Ｊ１２］
上記血液滑性付与剤が、次の（ｉ’）〜（ｉｉｉ’）、
（ｉ’）炭化水素、
（ｉｉ’）  （ｉｉ’−１）炭化水素部分と、（ｉｉ’−２）上記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合とを有する化合物、及び
（ｉｉｉ’）  （ｉｉｉ’−１）炭化水素部分と、（ｉｉｉ’−２）上記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、（ｉｉｉ’−３）上記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択され、
ここで、（ｉｉ’）又は（ｉｉｉ’）の化合物において、２以上の同一又は異なる結合が挿入されている場合には、各結合は隣接していない、
Ｊ１〜Ｊ１１のいずれか一項に記載の吸収性物品。
【０２２９】
［Ｊ１３］
上記血液滑性付与剤が、次の（Ａ）〜（Ｆ）、
（Ａ）  （Ａ１）鎖状炭化水素部分と、上記鎖状炭化水素部分の水素原子を置換する２〜４個のヒドロキシル基とを有する化合物と、（Ａ２）鎖状炭化水素部分と、上記鎖状炭化水素部分の水素原子を置換する１個のカルボキシル基とを有する化合物とのエステル、
（Ｂ）  （Ｂ１）鎖状炭化水素部分と、上記鎖状炭化水素部分の水素原子を置換する２〜４個のヒドロキシル基とを有する化合物と、（Ｂ２）鎖状炭化水素部分と、上記鎖状炭化水素部分の水素原子を置換する１個のヒドロキシル基とを有する化合物とのエーテル、
（Ｃ）  （Ｃ１）鎖状炭化水素部分と、上記鎖状炭化水素部分の水素原子を置換する、２〜４個のカルボキシル基とを含むカルボン酸、ヒドロキシ酸、アルコキシ酸又はオキソ酸と、（Ｃ２）鎖状炭化水素部分と、上記鎖状炭化水素部分の水素原子を置換する１個のヒドロキシル基とを有する化合物とのエステル、
（Ｄ）鎖状炭化水素部分と、上記鎖状炭化水素部分のＣ−Ｃ単結合間に挿入された、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つの結合とを有する化合物、
（Ｅ）ポリオキシＣ3〜Ｃ6アルキレングリコール、又はそのアルキルエステル若しくはアルキルエーテル、及び
（Ｆ）鎖状炭化水素、
並びにそれらの任意の組み合わせから成る群から選択される、Ｊ１〜Ｊ１２のいずれか一項に記載の吸収性物品。
【０２３０】
［Ｊ１４］
上記血液滑性付与剤が、（ａ1）鎖状炭化水素テトラオールと少なくとも１の脂肪酸とのエステル、（ａ2）鎖状炭化水素トリオールと少なくとも１の脂肪酸とのエステル、（ａ3）鎖状炭化水素ジオールと少なくとも１の脂肪酸とのエステル、（ｂ1）鎖状炭化水素テトラオールと少なくとも１の脂肪族１価アルコールとのエーテル、（ｂ2）鎖状炭化水素トリオールと少なくとも１の脂肪族１価アルコールとのエーテル、（ｂ3）鎖状炭化水素ジオールと少なくとも１の脂肪族１価アルコールとのエーテル、（ｃ1）４個のカルボキシル基を有する鎖状炭化水素テトラカルボン酸、ヒドロキシ酸、アルコキシ酸又はオキソ酸と、少なくとも１の脂肪族１価アルコールとのエステル、（ｃ2）３個のカルボキシル基を有する鎖状炭化水素トリカルボン酸、ヒドロキシ酸、アルコキシ酸又はオキソ酸と、少なくとも１の脂肪族１価アルコールとのエステル、（ｃ3）２個のカルボキシル基を有する鎖状炭化水素ジカルボン酸、ヒドロキシ酸、アルコキシ酸又はオキソ酸と、少なくとも１の脂肪族１価アルコールとのエステル、（ｄ1）脂肪族１価アルコールと脂肪族１価アルコールとのエーテル、（ｄ2）ジアルキルケトン、（ｄ3）脂肪酸と脂肪族１価アルコールとのエステル、（ｄ4）ジアルキルカーボネート、（ｅ1）ポリオキシＣ3〜Ｃ6アルキレングリコール、（ｅ2）ポリオキシＣ3〜Ｃ6アルキレングリコールと少なくとも１の脂肪酸とのエステル、（ｅ3）ポリオキシＣ3〜Ｃ6アルキレングリコールと少なくとも１の脂肪族１価アルコールとのエーテル、及び（ｆ1）鎖状アルカン、並びにそれらの任意の組み合わせから成る群から選択される、Ｊ１〜Ｊ１３のいずれか一項に記載の吸収性物品。
【０２３１】
［Ｊ１５］
上記血液滑性付与剤が、１気圧及び４０℃において、０．００〜０．０１Ｐａの蒸気圧を有する、Ｊ１〜Ｊ１４のいずれか一項に記載の吸収性物品。
【符号の説明】
【０２３２】
１    生理用ナプキン
２    トップシート
３    吸収体
４    排泄口当接域
５    第１エンボス部
６    外縁領域
７    第２エンボス部
８    第３エンボス部
９    非薬剤含有領域
１０    非連続部分
【図１】
0005717686.tif 000017
【図２】
0005717686.tif 000018
【図５】
0005717686.tif 000019
【図３】
0005717686.tif 000020
【図４】
0005717686.tif 000021